(57)【要約】【課題】制作途中の陶芸作品を、轆轤のターンテーブルに作業板ごと無造作に載せ下ろししても芯出しが確実にできて、低コストで製造でき、長期間使用しても容易に劣化しない陶芸轆轤用作業板を提供すること。【解決手段】陶芸用轆轤のターンテーブル上に裁置して使用され、裏面に脚部を設け、当該脚部と脚部の間に、案内部によってターンテーブルが誘導されて収まる構成の陶芸轆轤用作業板であり、脚部に狭持部を設け、挟持部の内の少なくとも一つが加圧手段を有し、前記加圧手段がターンテーブルの側面を加圧することにより芯出しを可能にした陶芸轆轤用作業板を供する。加圧手段を作業板裏面と脚部との間に配した弾性体の復元力であるか、弾性を有する脚部あるいは脚部に設けた弾性体の復元力とする。前記作業板の裏面に滑動防止部を設けるか滑動防止材を配する。【選択図】図１
2004209895.tif 000002
【特許請求の範囲】
【請求項１】
陶芸用轆轤のターンテーブル上に裁置して使用され、裏面に脚部を設け、当該脚部と脚部の間にターンテーブルが収まる構成の陶芸轆轤用作業板であり、当該脚部に狭持部を設け、挟持部の内の少なくとも一つが加圧手段を有し、当該加圧手段がターンテーブルの側面を加圧することにより芯出しを可能にした陶芸轆轤用作業板。
【請求項２】
前記作業板の裏面か挟持部か脚部かに案内部が設けてあり、前記ターンテーブル上に大まかに見当をつけて作業板を置くと、作業板の中心軸と前記ターンテーブルの中心軸とを合わせるように作業板を誘導する構成である請求項１に記載した陶芸轆轤用作業板。
【請求項３】
前記加圧手段が、弾性を有する脚部、あるいは脚部に設けた弾性体の復元力である請求項１と２のいずれかに記載した陶芸轆轤用作業板。
【請求項４】
裏面に、硬質の板材を屈折させて基部と脚部と案内部によって構成された脚材を複数個配した陶芸轆轤用作業板であって、前記作業板の裏面と前記基部の間に弾性体を挟設することによって前記作業板を轆轤へ設置したときに脚部の下方端部がターンテーブルの中心軸方向に近寄るように傾かせてあり、前記案内部先端が前記ターンテーブルの中心軸から遠ざかる様に外側に開き、加圧手段を前記弾性体の復元力とし、狭持部を前記脚部の下方端部先端と案内部が交接した部位あるいは脚部側面とする、請求項１に記載した陶芸轆轤用作業板。  
【請求項５】
裏面に複数個の脚部を設けた作業板であって、ターンテーブルに作業板を乗せると、前記脚部と脚部の間にターンテーブルが収まる構成であり、脚部側面に挟持部が可動的に設けられており、前記挟持部に係止爪と弾性体が設けてあり、ターンテーブルに作業板を乗せると当該係止爪がターンテーブルに係り、作業板を下方向に押し込むと当該弾性体が変形して挟持部がターンテーブル側面を狭持し、弾性体の復元力がターンテーブル側面を加圧して固定と芯出しをする請求項１に記載した陶芸轆轤用作業板。
【請求項６】
前記作業板の裏面にゴムや合成樹脂等の柔軟材による板状体もしくは複数個の突起物を設けて滑動防止部とし、滑動防止効果を持たせた請求項１と２と３と４および５のいずれかに記載した陶芸轆轤用作業板。
【請求項７】
前記作業板にゴムや合成樹脂等の柔軟材による滑動防止材を配し、前記作業板の裏面と前記ターンテーブルの間に滑動防止材を挟めるようにした請求項１と２と３と４および５のいずれかに記載した陶芸轆轤用作業板。
【発明の詳細な説明】
【０００１】
【発明が属する技術分野】
本発明は陶芸用轆轤に載せて使用し、自動的に芯出しができて、ターンテーブル上での滑動を防止できる陶芸轆轤用作業板に関する物である。
【０００２】
【従来の技術】
従来、作陶活動に於ける轆轤を使った成形作業において、大型作品を成形した場合や成形途中の作品は、粘土が軟弱であるため轆轤のターンテーブル上から作品を移動することが困難であることから、亀板と呼ばれる作業板をターンテーブルの載せてその上に作品を形成し、亀板とともに作品を移動することにより大型作品の成形直後の作品や成形途中の移動を容易にしてきた。亀板は角を落として多角形とした板の裏面に桟を打ち付けた物であり、これを粘土の粘着性により轆轤の回転体であるターンテーブル上に張り付けて成形に使用されてきた。
【０００３】
陶芸に於ける大型の作品の成形では、粘土の自重により変形や亀裂が生じやすく一気に成形できないことから、成形途中の作品を載せた亀板を一旦轆轤から外し、幾分乾燥が進んだ時点で亀板を再度轆轤に乗せ、作品に粘土を継ぎ足して成形を進める必要が生じる。この際、先に成形してある成形途中の作品を、ターンテーブルの中心軸と作品の中心軸とを合わせて、ターンテーブル上に据え付ける必要が生じる。一旦取り外した亀板を、中心軸を合わせて据え付けるには熟練が必要であり、初心者には大変面倒な、あるいは実施困難な作業であった。
【０００４】
【特許文献１】実開昭５１−３６５９
実開昭５１−３６５９に示された考案は「ろくろの回転盤Ｂに外接する枠Ａを、平板１の裏面に設置してなる粘土工作台」であり、具体的には「木材からなる正八角形の平板の裏面に、木材からなる４本の角棒を設置し、該角棒の内面でもって未完結の枠が、回転板に外接するように形成する。この考案の工作台をろくろの回転盤にかぶせるように設置すれば、工作台の上面は、枠とろくろの回転盤との摩擦により平板は轆轤と同時に回転する」というものである。
【０００５】
上記考案の製造に当たっては高度な技術を要さないものの、轆轤の回転盤（ターンテーブル）を枠が強く圧迫するほど密着するように製造することは困難である。そのように製造し得たとしても、使用と共に摩耗等により接触面にゆるみが生じ、長期間に亘って繰り返し使用することは困難である。
【０００６】
この課題を解決するものとして、上記考案の４本の角棒あるいはこれに代わる金具等にゴム等の弾性体を貼り付けて狭持部を形成することが考えられるが、この場合、複数の狭持部で前記ターンテーブルを挟み込み、ターンテーブルの裁置面に対してほぼ直角の狭持部をターンテーブルの側面を摺動しながら下に押し込むことが必要となる。
【０００７】
上記の方法によれば、位置合わせが面倒であることや、設置時に前記狭持部に張り付けた弾性体の角がターンテーブルの角に当たり、使用の継続と共に弾性体がすり切れることや、ターンテーブル側面をゴム等の弾性体の表面で摺動しながら押し込むことが可能な程度の圧力では芯出しに狂いが生じやすい。無造作に作業板をターンテーブルに乗せても位置合わせが確実に出来て、長期間使用しても容易に痛まない陶芸轆轤用作業板が望まれる。
【０００８】
この他、陶芸轆轤用作業板としては、複数の穴を開けた平板を轆轤のターンテーブル上に張り付けておき、作業板裏面の、上記平板の穴に対応する位置に突起物形成し、上記穴と上記突起物を嵌合させて作業板を裁置することにより、作業板とターンテーブルの位置関係を保ち、芯出しを行うものが市販されている。この作業板は芯出しが確実にできる点で優れているものの、作業板の他に取り付け盤が必要であり、据え付けにしない限り不便である。日々、様々な作業内容で、変化のある作陶活動をする場合には、作業板とは別の取り付け盤を設置する方法では作業が極めて面倒である。また、経済的とも言い難い。
【０００９】
【発明が解決しようとする課題】                                                            
無造作に作業板をターンテーブルに載せても自動的に芯出しが出来て、長期間使用しても容易に痛むことがなく、安価に製造できて使い勝手のよい陶芸轆轤用作業板を提供すること。
【００１０】
【課題を解決するための手段】
陶芸用轆轤のターンテーブル上に裁置して使用され、裏面に脚部を設け、当該脚部と脚部の間にターンテーブルが収まる構成の陶芸轆轤用作業板であり、当該脚部に狭持部を設け、挟持部の内の少なくとも一つが加圧手段を有し、当該加圧手段がターンテーブルの側面を加圧することにより芯出しを可能にした陶芸轆轤用作業板を供する。
【００１１】
前記作業板の裏面か挟持部か脚部かに案内部が設けてあり、前記ターンテーブル上に大まかに見当をつけて作業板を置くと、作業板の中心軸と前記ターンテーブルの中心軸とを合わせるように作業板を誘導する構成である陶芸轆轤用作業板を供する。
【００１２】
前記加圧手段が、弾性を有する脚部、あるいは脚部に設けた弾性体の復元力である陶芸轆轤用作業板を供する。
【００１３】
裏面に、硬質の板材を屈折させて基部と脚部と案内部によって構成された脚材を複数個配した陶芸轆轤用作業板であって、前記作業板の裏面と前記基部の間に弾性体を挟設することによって前記作業板を轆轤へ設置したときに脚部の下方端部がターンテーブルの中心軸方向に近寄るように傾かせてあり、前記案内部先端が前記ターンテーブルの中心軸から遠ざかる様に外側に開き、加圧手段を前記弾性体の復元力とし、狭持部を前記脚部の下方端部先端と案内部が交接した部位あるいは脚部側面とする陶芸轆轤用作業板を供する。  
【００１４】
裏面に複数個の脚部を設けた作業板であって、ターンテーブルに作業板を乗せると、前記脚部と脚部の間にターンテーブルが収まる構成であり、脚部側面に挟持部が可動的に設けられており、前記挟持部に係止爪と弾性体が設けてあり、ターンテーブルに作業板を乗せると当該係止爪がターンテーブルに係り、作業板を下方向に押し込むと当該弾性体が変形して挟持部がターンテーブル側面を狭持し、弾性体の復元力がターンテーブル側面を加圧して固定と芯出しをする陶芸轆轤用作業板を供する。
【００１５】
前記作業板の裏面にゴムや合成樹脂等の柔軟材による板状体もしくは複数個の突起物を設けて滑動防止部とし、滑動防止効果を持たせた陶芸轆轤用作業板を供する。
【００１６】
前記作業板にゴムや合成樹脂等の柔軟材による滑動防止材を配し、前記作業板の裏面と前記ターンテーブルの間に滑動防止材を挟めるようにした陶芸轆轤用作業板を供する。
【００１７】
更に、前記ターンテーブル側面に対する加圧手段が、弾性を有する脚部、あるいは脚部に設けた弾性体の復元力である手段の、具体的手段を述べれば次の通りである。
裏面に、硬質の板材を屈折させて基部と脚部と案内部によって構成された脚材を複数個配した陶芸轆轤用作業板であって、前記脚部の下方端部が作業板を轆轤へ設置したときにターンテーブルの中心軸方向に近寄るように傾かせてあり、前記案内部先端が前記ターンテーブルの中心軸から遠ざかる様に外側に開き、加圧手段を前記弾性体の復元力とし、狭持部を前記脚部の下方端部先端と案内部が交接した部位あるいは脚部側面とする陶芸轆轤用作業板を供する。
【００１８】
裏面に設けた脚部側面に、弾性体を当該脚部から浮かした状態で、ターンテーブルの中心軸方向に傾いた状態で設けることにより、前記弾性体がその復元力によって前記ターンテーブル側面に圧着することを加圧手段とし、当該弾性体の下部が前記ターンテーブルから遠ざかるように屈折して案内部を形成する陶芸轆轤用作業板を供する。
【００１９】
裏面に設けた脚部側面に波状弾性体を設けることで、当該弾性体を介して前記脚部によってターンテーブルを挟み込んで作業板を轆轤へ設置し、当該弾性体の復元力によって轆轤のターンテーブル側面に圧着することを加圧手段とし、当該弾性体の下部が前記ターンテーブルから遠ざかるように屈折して案内部を形成する陶芸轆轤用作業板を供する。
【００２０】
裏面に設けた脚部側面に柔軟弾性体を設け、当該弾性体の外側を硬質板材で覆い、当該弾性体を介して前記脚部によってターンテーブルを挟み込んで作業板を轆轤へ設置し、当該弾性体の復元力によって当該硬質板材が轆轤のターンテーブル側面に圧着することを加圧手段とし、当該硬質板材の下部が当該ターンテーブルから遠ざかるように屈折して案内部を形成する陶芸轆轤用作業板を供する。
【００２１】
裏面に設けた脚部側面に円盤状、円柱状あるいは球状の回転体を設け、作業板を轆轤へ設置したときに当該円盤状、円柱状あるいは球状の回転体が弾力を有することで轆轤のターンテーブル側面に圧着することを加圧手段とし、前記脚部の側面下部が前記ターンテーブルから遠ざかるように屈折して案内部を形成する陶芸轆轤用作業板を供する。
【００２２】
更に、前記作業板の裏面と基部の間に弾性体を挟設することによって作業板を轆轤へ設置したときに脚部の下方端部がターンテーブルの中心軸方向に近寄るように傾かせる手段の具体的手段を述べれば次の通りである。
上記作業板の裏面と前記基部の間に挟設された弾性体をゴムあるいは合成樹脂等の柔軟弾性体とする陶芸轆轤用作業板を供する。
【００２３】
【発明の実施の形態】
発明の実施の形態について図を用いて説明する。
図１は実施例１に於ける陶芸轆轤用作業板裏面の斜視図であり、陶芸轆轤のターンテーブルに裁置した状態を示す。本図に於いては加圧手段を省略し、２図で表している。作業板１の裏面１１に、脚部２を複数個設け、当該脚部２の側面を狭持部３とする。陶芸用轆轤４のターンテーブル４１の側面４１１を前記狭持部Ａ３１と他の狭持部Ｂ３２及び挟持部Ｃ３３によって挟む。前記狭持部３の内の少なくとも一つに加圧手段５を持たせ、ターンテーブル４１の側面４１１を中心軸方向に加圧して芯出しをする。つまり、ターンテーブル４１の中心軸と作業板１の中心軸を一致させる。
【００２４】
この際、ターンテーブル４１と作業板１の中心点が完全に一致することが望ましいが、前記両者の位置関係が一定であれば、作業板１の中心点がターンテーブル４１の中心点から僅かにずれることは実用上問題とならない。前記両者の位置関係が一定であれば、作業板１上に形成された作品の芯（中心軸）はターンテーブル４１の中心軸と一致する。本図では脚部の数が３である例を取り上げているが、別の平らな板等への接地点の平面性を得るためには、脚部の数が３であるとき一番安定しており、５程度以内に構成するのが実用的である。脚部の数が１か２である場合には轆轤のターンテーブル外周に合わせた横に幅広の形状にする必要がある。
【００２５】
図２は実施例１における脚部２および狭持部３の拡大図である。脚部２は基部２１の孔２２に通したネジ２３で作業板１の裏面１１に固定される。作業板１が合成樹脂等によって一体成形される場合には前記基部２１及び孔２２やネジ２３を必要としない。狭持部３は脚部２のターンテーブル４１側に位置する側面に、加圧手段５である加圧棒５０を介して取り付けられる。加圧棒５０は脚部２に刻まれたねじ部２４と嵌合するねじ部５２を有するネジ構造体であり、つまみ部５１を摘んで回すことにより、前進、後退ができ、先端に狭持部３が可動的に取り付けられている。
【００２６】
図１のごとく作業板１の裏面１１に脚部２および狭持部３を配し、狭持面３０でターンテーブルの側面４１１を狭持し、つまみ部５１をひねる様に回すことで加圧棒５０をターンテーブル側面４１１に向かって前進させ、狭持部３を押し出して加圧し、作業板１の芯だしをする。挟持部３の下端に案内部６が設けてあり、前記ターンテーブル４１上に大まかに見当をつけて作業板１を裁置すると、作業板１の中心軸と前記ターンテーブル４１の中心軸とを合わせるように作業板１を誘導する。加圧棒５０を設けた脚部２が一つである場合には他の加圧棒を持たない脚部下端に案内部６を設ける。
【００２７】
図３の図Ａは実施例２に於ける基部２１と、狭持部３（狭持面３０）を兼ねた脚部２と、案内部６からなる脚材の断面図である。当該脚材は全体が硬質弾性体で成形されている。基部２１には孔２２があけられ、固定手段であるネジ２３によって作業板１の裏面１１に固定される。作業板１が脚部２を含んだ合成樹脂等による一体成形である場合には孔２２やネジ２３を必要としない。また、弾性体が細い棒状体であることや作業板への取り付け方法が作業板に設けた掛着部による掛着等であることも可能である。
【００２８】
基部２１と脚部２が交接して内角αが９０度よりも若干大である角度を有し、前記脚部２の下方端部が作業板１を轆轤４へ設置したときにターンテーブル４１の中心軸方向に近寄るように傾かせてあり、前記脚部２の下方端部先端と案内部６が交接し、前記案内部６の先端が前記ターンテーブル４１の中心軸から遠ざかる様に外側に開き、加圧手段５を脚部２を構成する弾性体の復元力とし、狭持部３（狭持面３０）を前記脚部２の下方端部先端と案内部６が交接した部位あるいは脚部２の側面とする。
【００２９】
図３の図Ｂは実施例２に於いて、作業板１をターンテーブル４１に設置する状況を示した断面図である。ターンテーブル４１上に作業板１を載せる際に案内部６が作業板１を誘導するため、大まかに見当をつけて置くだけで作業板１をターンテーブル４１上の適切な位置に設置できる。案内部６をターンテーブル４１の角にあてがい作業板１をターンテーブル４１に向かって押し込むと脚部２はターンテーブル４１の中心軸から遠ざかるように押し広げられて、狭持部３（狭持面３０）がターンテーブル４１の側面４１１を挟み込み、狭持する。部材が単純な形状であるため低コストで陶芸轆轤用作業板が製造でき、簡単な操作で確実な芯出しを可能にする。
【００３０】
図４の図Ａは実施例２に於ける脚材のを棒状弾性体にした脚材の斜視図であり、図Ｂは脚材に棒状弾性体を使用した上記作業板の設置状況を示した断面図である。脚部を棒状弾性体５３４に置き換えても効果に変わりはない。本図では棒状弾性体５３４を作業板１の裏面１１に設けた嵌合部１２に嵌合させて掛着させた構造であるため、脚材と板材との分離が可能であることから小さく梱包できり、収納運搬に有利である。
【００３１】
図５は実施例３に於ける脚材の断面図である。当該脚材は、基部２１と脚部２が交接した内角がほぼ９０度であり、作業板１の中心方向である前記脚部の作業板中心軸方向側面に板状弾性体５３を、当該脚部２から浮かした状態で、ターンテーブル４１の中心軸方向に傾けて設けることで、前記板状弾性体５３がその復元力によって前記ターンテーブル側面４１１に圧着することを加圧手段５とし、当該板状弾性体５３の下部が前記ターンテーブルから遠ざかるように屈折して案内部６を形成する。
【００３２】
前記脚部２の側面を挟持部３とする。案内部６の先端を更に屈折させて弾性補助部５４を形成してその先端を脚部２に隣接させ、当該先端が脚部側面を滑動可能にすることで狭持部３（狭持面３０）がターンテーブル側面４１１を加圧する弾力を補強するものとすることが可能である。案内部６にターンテーブル４１の角をあてがい、作業板１を押し込むことによって前記板状弾性体５３の復元力が加圧手段として機能し、自動的に芯だしをする。前記板状弾性体５３は細い棒状弾性体５３４と置き換えることが可能であり、効果に変わりはない。部材が単純な形状であるため低コストで陶芸轆轤用作業板が製造でき、簡単な操作で確実な芯出しを可能にする。
【００３３】
図６は実施例４に於ける脚材の断面図である。本実施例は実施例３に於ける板状弾性体５３を波状弾性体５３１に置き換えたものである。板状弾性体５３を波状弾性体５３１に置き換えても、機能に大きな違いは生じないが、ターンテーブルの側面への加圧点が増え、均一な力がターンテーブルの側面に加わる。また、設置に伴い変形される部位の数が多くなることから、使用する素材が板状弾性体５３と同一であれば加圧する力が強くなり、ターンテーブルへ作業板を固定する力も強い。また、波状弾性体が細い棒状弾性体５３４と置き換えることが可能であり、同様の効果を発揮する。
【００３４】
図７は実施例５に於ける脚材の断面図である。基部２１と脚部２が交接した内角αがほぼ９０度であり、作業板１の中心部方向である前記脚部２の内側に柔軟弾性体５５を配し外側を硬質板材３４で覆い、作業板１を轆轤４へ設置したときに前記柔軟弾性体５５の復元力によって当該硬質板材３４が轆轤４のターンテーブル側面４１１に圧着することで加圧手段５とし、当該硬質板材３４の下部が前記ターンテーブルから遠ざかるように屈折して開き、案内部６を形成する。加圧手段５がゴムや合成樹脂等の柔軟弾性体５５の復元力であるため、腐食等の恐れがない。当該柔軟弾性体５５は硬質板材３４及び案内部６に守られ、ターンテーブル４１の角及びターンテーブル側面４１１との摺擦によって摩耗、変形することなく長期間の使用に耐えることができる。
【００３５】
図８は実施例６に於ける脚材の断面図である。脚材が基部２１と脚部２が交接した内角αがほぼ９０度であり、作業板１の中心軸方向である前記脚部２の内側に円盤状、円柱状あるいは球状の回転体５６を配し、作業板１を轆轤４へ設置したときに当該円盤状、円柱状あるいは球状の回転体５６が弾力を有することで轆轤４のターンテーブル側面４１１に圧着することで加圧手段５とし、前記脚部２の下部が前記ターンテーブル４１から遠ざかるように屈折して案内部を形成する。
【００３６】
回転体５６の弾力は、当該回転体５６の製造に使用する素材固有の弾力であるか、当該回転体５６の構造から生じる弾力であるか、又は回転軸５６１の有する弾力である等の区別を有することなく、前記弾力が複合して生じる力を含め回転体５６が前記ターンテーブル側面４１１を加圧する力そのものを指すものとする。当該回転体５６は加圧手段５であると同時に狭持部３（狭持面３０）である。
【００３７】
加圧手段５を、前記狭持部に配した円盤状、円柱状あるいは球状の回転体の有する弾力とした場合には前記脚部間にターンテーブルを押し込む際の抵抗を減らし、容易に設置可能とすることができる。ターンテーブルの側面を回転体５６が回転して移動するため、ターンテーブルへの作業板の取り付けがスムースに行われる。つまり、ターンテーブルの側面を硬質の板材等が摺擦しながら狭持部を押し込むということが無いため、ターンテーブルを傷つけることがない。
【００３８】
図９の図Ａは実施例７に於ける作業板１をターンテーブル４１に設置する状況を示した断面図である。硬質の板材を屈折させて基部２１と脚部２と案内部６を構成した脚材であり、前記作業板１の裏面１１と前記基部２１の間に弾性体、ここでは屈折させた板状弾性体５３２を挟むことによって前記作業板１を轆轤４へ設置したときに脚部２の下方端部がターンテーブル４１の中心軸方向に近寄るように傾かせてあり、前記脚部２の下方端部先端と案内部６が交接し、前記案内部６の先端が前記ターンテーブル４１の中心軸から遠ざかる様に外側に開き、加圧手段５を屈折させた板状弾性体５３２の復元力とし、狭持部３（狭持面３０）を前記脚部２の下方端部先端と案内部６が交接した部位あるいは脚部２の側面とする。
【００３９】
屈折させた板状弾性体５３２の存在により、基部２１の片側が作業板の裏面１１から浮き上がって設置され、挟持部３が作業板１を垂直に貫く中心軸方向に傾いて構成される。設置に当たっては案内部６をターンテーブル４１の角にあてがい、作業板１をターンテーブル４１に向かって押し込むと、屈折させた板状弾性体５３２が弾性を発揮して角度を狭め、ターンテーブル４１の角が案内部６の表面を滑動し、脚部２が中心軸から離れるように押し拡げられる。狭持部３（狭持面３０）がターンテーブル４１の側面４１１に位置してターンテーブルの側面４１１を狭持する。
【００４０】
図Ｂは屈折させた板状弾性体５３２の斜視図である。屈折させた板状弾性体５３２はＶ字型に折り曲げられた板状弾性体であって作業板１の裏面１１と基部２１の間に配され、固定用孔５３３を通したネジ２３で固定される。作業板１をターンテーブル４１に設置すると、屈折させた板状弾性体５３２によって浮き上がっていた基部２１の片側が作業板１の裏面１１方向に押しつけられる。屈折させた板状弾性体５３２は形状を復元しようとして基部２１と作業板１の裏面１１を離すそうとする。結果としてターンテーブル４１の側面４１１を狭持部３（狭持面３０）が加圧し、芯出しをする。板状弾性体５３２を細い棒状弾性体５３４に置き換えても同様の効果を発揮する。
【００４１】
図１０の図Ａは実施例８に於ける作業板１をターンテーブル４１に設置する状況を示した断面図である。図９の図Ａに於ける弾性体であるＶ字型に折り曲げられた屈折させた板状弾性体５３２を柔軟弾性体Ｂ５５１に置きかえたものである。
【００４２】
図Ｂは基部２１に柔軟弾性体Ｂ５５１を取り付けた脚材の斜視図である。屈折させた板状弾性体５３２を柔軟弾性体Ｂ５５１に置きかえても効果に大きな違いはないが、柔軟弾性体Ｂ５９は楔形等に成形することなく直方体のままで良く、組み立て時に作業板１の内側に当たる部位のネジを強く締め付けるだけで、脚部２を作業板１の中心軸方向に傾いた状態にすることが出来ると共に、挟持部３にターンテーブル４１の側面４１１を加圧する力も与えることが出来る。弾性体はゴムや合成樹脂等による柔軟弾性体Ｂ５５１であるため、腐食する心配もなくなる。また、直接、ターンテーブル４１を摺擦することがないため、摩耗や変形による劣化を防ぐこともできる。
【００４３】
図１１の図Ａは実施例９の断面図である。裏面に複数個の脚部２を設けた作業板１であって、ターンテーブル４１に作業板１を乗せると、前記脚部２と脚部２の間にターンテーブル４１が収まる構成であり、脚部２の側面に挟持部３が可動的に配され、ターンテーブル４１に作業板１を載せると狭持部３の係止爪３５がターンテーブル４１に係って他の狭持部３（狭持面３０）と共にターンテーブルの側面１１を挟持する。
【００４４】
前記挟持部３に係止爪３５と、への字型の遊嵌孔３６を設け、前記脚部２に支持腕２５を設けて遊嵌孔３６に遊嵌させることにより、係止爪３５がターンテーブル４１の角に係止した状態で作業板１をターンテーブル４１に向かって押し込むと支持腕２５が遊嵌孔３６に沿って滑動し、狭持部３（狭持面３０）をターンテーブルの側面４１１に向かって加圧する。このことにより、作業板の芯出し作業が自動的になされ、かつ、作業板１のターンテーブルへの固定が同時になされる。
【００４５】
図Ｂは前記遊嵌孔３６と支持腕２５の関係を示す遊嵌孔３６周辺の拡大図である。作業板１を下方向に押し込むと遊嵌孔３６に沿って支持腕２５が下に向かって滑動し、挟持部３をターンテーブル４１に押しつけて固定と芯出しをする。支持湾２４がへの字型の遊嵌孔３６における山の部分を乗り越えると、柔軟弾性体Ｃ５５２の反発力によって狭持部３全体が押し返され、支持腕２５がへの字型の遊嵌孔３６の最下端で止まり、安定する。
【００４６】
本実施例では遊嵌孔３６を設けてあるが、必ずしも遊嵌孔３６は必要でなく、狭持部３の上下幅に於ける中点よりもわずか下に穴をあけ、当該孔に支持腕２５を嵌合させても設置に伴う芯だし効果が得られる。しかし、本実施例のようにへの字型の遊嵌孔を有するもの方が狭持部３をターンテーブル側面４１１から離すことができて位置合わせがしやすくなり、ターンテーブル側面４１１を締め付ける力も強くなる。る。
【００４７】
図１２の図Ａは実施例１０における作業板１の裏面１１を示す斜視図であり、図Ｂは実施例１１における作業板１の裏面１１を示す斜視図である。脚部２及び狭持部３に囲まれた裏面１１に実施例１０では板状の滑動防止部１１１を、実施例１１では点状の滑動防止部１１２をそれぞれ設けた例である。前記滑動防止部は作業板の裏面１１にのり付けや鋲止めによる他、作業板の裏面１１に穴をあけ一部を突出させて埋設するなどの方法で固定する。
【００４８】
図１３は実施例１０に於ける作業板１の使用の状態を示す断面図であり、前記作業板裏面１１に板状の滑動防止部１１１を形成し、ターンテーブル４１上に設置し、作業板上には成型用の粘土７を載せた状態を示す断面図である。粘土７の重量が作業板を下方向に向かって押しつけ、作業板裏面１１の板状滑動防止部１１１がターンテーブル４１の表面に圧着し、作業板１がターンテーブル４１の表面を滑動することを防ぐ。
【００４９】
いわゆる亀板と称される陶芸轆轤用作業板は粘土の粘着力によってターンテーブル４１の表面に張り付けられて固定されて使用されることが一般的であるが、粘土が作業板を固定する力は弱く、作業板に打ち付けられた桟あるいは作業板の裏面を粘土で汚すことにもなり、場合によっては粘土が張りついてしまって剥がすことが面倒な場合も生じる。
【００５０】
本願発明では狭持部３（狭持面３０）によってターンテーブル４１の側面４１１を加圧しているため、芯出しの効果と同時に滑動防止効果も生じる。しかし、狭持部３の主な目的は芯だし効果を得ることにあり、制作する作品の大きさや粘土の性質および制作者の技量等にも左右されるが、作業板１を固定する滑動防止効果は十分とは言い難い。柔軟弾性体等によって板状の滑動防止部１１１あるいは点状の滑動防止部１１２を設けることで、作業板１がターンテーブル４１上で滑動することを防ぎ、安心して成形作業に当たることが出来るようになる。
【００５１】
図１４は実施例１２における作業板１の設置の状態を示す斜視図であり、滑動防止材１１３を間に挟んでターンテーブル４１上に作業板１を設置する様子を表した斜視図である。陶芸用轆轤４の上部に設けたターンテーブル４１の上に滑動防止材１１３を置き、ターンテーブル４１の側面４１１を狭持部３が挟むように作業板１を載せて設置する。滑動防止効果を得られる点では作業板１の裏面１１に滑動防止部を設けたものと同様の効果が得られる。
【００５２】
作業板１の裏面１１に滑動防止部を設けたものと比べ、作業板１を裁置する作業の度に滑動防止材１１３がターンテーブル４１の中央に載っているか注意する必要があり、使用に面倒さがある。しかし、作業板裏面１１に滑動防止部１１１を張り付ける製造工程が省けると共に、滑動防止材１１３は作業板１の複数枚に対し一枚の割で用意すればよく、コストを削減出来る。滑動防止材１１３はその形状が円形の板状であることが望ましいが、紐状体の端部と端部を結合して円状にしたものや粒状の小さな塊が多数連結させたものなどでも同様の効果を生じる。また板状体であっても凹凸を設けたもの、孔を有するものも同様である。
【００５３】
【発明の効果】
本発明は陶芸用轆轤のターンテーブル上に裁置して使用され、裏面に脚部を設け、当該脚部と脚部の間にターンテーブルが収まる構成の陶芸轆轤用作業板であり、当該脚部に狭持部を設け、挟持部の内の少なくとも一つが加圧手段を有し、当該加圧手段がターンテーブルの側面を加圧することにより芯出しを可能にした陶芸轆轤用作業板であるため次の効果を奏する。
【００５４】
挟持部がターンテーブルの側面を加圧する加圧手段を有するため、確実な芯出し効果を有する陶芸轆轤用作業板を製造できる。
【００５５】
前記作業板の裏面か挟持部か脚部かに案内部が設けてあり、前記ターンテーブル上に大まかに見当をつけて作業板を置くと、作業板の中心軸と前記ターンテーブルの中心軸とを合わせるように作業板を誘導する構成である陶芸轆轤用作業板であるため次の効果を奏する。
【００５６】
構成が単純であり、ターンテーブル上に無造作に作業板を置いても、作業板の中心軸と前記ターンテーブルの中心軸との位置合わせが容易に行える陶芸轆轤用作業板を製造できる。
【００５７】
前記加圧手段が、弾性を有する脚部、あるいは脚部に設けた弾性体の復元力である陶芸轆轤用作業板であるため次の効果を奏する。
【００５８】
単純な形状の部材で構成でき、芯出し効果のある陶芸轆轤用作業板が低コストで製造でき、簡単な操作で確実な芯出しを可能にする。
【００５９】
裏面に複数個の脚部を設けた作業板であって、ターンテーブルに作業板を乗せると、前記脚部と脚部の間にターンテーブルが収まる構成であり、脚部側面に挟持部が可動的に設けられており、前記挟持部に係止爪と弾性体が設けてあり、ターンテーブルに作業板を乗せると当該係止爪がターンテーブルに係り、作業板を下方向に押し込むと当該弾性体が変形して挟持部がターンテーブル側面を狭持し、弾性体の復元力がターンテーブル側面を加圧して固定と芯出しをする陶芸轆轤用作業板であるため次の効果を奏する。
【００６０】
作業板の狭持部が自動的にターンテーブル側面を狭持し、作業板の芯出し作業を自動的行い、かつ、作業板１のターンテーブルへの固定が同時になされる。ターンテーブルを中心軸方向へ加圧する力が強いため、芯だし効果も確実であり、制作中における作業板の滑動も防ぐことが出来る。
【００６１】
前記作業板の裏面にゴムや合成樹脂等の柔軟材による板状体もしくは複数個の突起物を設けて滑動防止部とし、滑動防止効果を持たせた陶芸轆轤用作業板であるため次の効果を奏する。
【００６２】
粘土の重量が作業板を下方向に向かって押しつけ、作業板裏面の滑動防止部がターンテーブルの表面に圧着し、作業板がターンテーブルの表面を滑動することを防ぐことができる。
【００６３】
前記作業板にゴムや合成樹脂等の柔軟材による滑動防止材を配し、前記作業板の裏面と前記ターンテーブルの間に滑動防止材を挟めるようにした陶芸轆轤用作業板であるため次の効果を奏する。
【００６４】
作業板のターンテーブル上に於ける滑動防止効果が低コストで得られる。
【図面の簡単な説明】
【図１】実施例１に於ける陶芸轆轤用作業板裏面の斜視図である。
【図２】実施例１における脚部２および狭持部３の拡大図である。
【図３】図Ａは実施例２に於ける脚材の断面図である。
図Ｂは実施例２に於ける作業板の設置状況を示した断面図である。
【図４】図Ａは実施例２に於ける脚材のを棒状弾性体にしたる脚材の斜視図である。
図Ｂは脚材に棒状弾性体を使用した上記作業板の設置状況を示した断面図である。
【図５】実施例３に於ける脚材の断面図である。
【図６】実施例４に於ける脚材の断面図である。
【図７】実施例５に於ける脚材の断面図である。
【図８】実施例６に於ける脚材の断面図である。
【図９】図Ａは実施例７の設置状況を示した断面図である。
図Ｂは実施例７に於ける屈折させた板状弾性体の斜視図である。
【図１０】図Ａは実施例８の設置状況を示した断面図である。
図Ｂは実施例８に於ける脚材の斜視図である。
【図１１】図Ａは実施例９の断面図である。
図Ｂは図Ａに於ける遊嵌孔周辺の拡大図である。
【図１２】図Ａは実施例１０における作業板の裏面を示す斜視図である。
図Ｂは実施例１１における作業板の裏面を示す斜視図である。
【図１３】実施例１０における作業板使用の状態を示す断面図である。
【図１４】実施例１２における作業板１の設置の状態を示す斜視図である。
【符号の説明】
１  作業板
１１  作業板の裏面
１２  嵌合部
１１１  板状の滑動防止部
１１２  点状の滑動防止部
１１３  滑動防止材
２  脚部
２１  基部
２２  孔
２３  ネジ
２４  ねじ部
２５  支持腕
３  狭持部
３０  狭持面
３１  狭持部Ａ
３２  狭持部Ｂ
３３  挟持部Ｃ
３４  硬質板材
３５  係止爪
３６  遊嵌孔
４  陶芸用轆轤
４１  ターンテーブル
４１１  ターンテーブルの側面
５  加圧手段
５０  加圧棒
５１  つまみ部
５２  ねじ部
５３  板状弾性体
５３１  波状弾性体
５３２  屈折させた板状弾性体
５３３  固定用孔
５３４  棒状弾性体
５４  弾性補助部
５５  柔軟弾性体
５５１  柔軟弾性体Ｂ
５５２  柔軟弾性体Ｃ
５６  回転体
５６１  回転軸
６  案内部
７  粘土
【図１】
2004209895.tif 000003
【図２】
2004209895.tif 000004
【図３】
2004209895.tif 000005
【図４】
2004209895.tif 000006
【図５】
2004209895.tif 000007
【図６】
2004209895.tif 000008
【図７】
2004209895.tif 000009
【図８】
2004209895.tif 000010
【図９】
2004209895.tif 000011
【図１０】
2004209895.tif 000012
【図１１】
2004209895.tif 000013
【図１２】
2004209895.tif 000014
【図１３】
2004209895.tif 000015
【図１４】
2004209895.tif 000016
【手続補正書】
【提出日】平成15年12月24日(2003.12.24)
【手続補正１】
【補正対象書類名】明細書
【補正対象項目名】全文
【補正方法】変更
【補正の内容】
【特許請求の範囲】
【請求項１】陶芸用轆轤のターンテーブル上に裁置して使用され、裏面に棒状硬質弾性体で形成され下端部先端に作業板を誘導するための案内部を配した脚部を作業板の裏面に着脱可能に係着して設け、当該脚部と脚部の間にターンテーブルが収まる構成の陶芸轆轤用作業板であり、当該作業板の前記轆轤への設置に当たっては、前記案内部を前記ターンテーブルの角にあてがい前記作業板を前記ターンテーブルに向かって押し込むと、設置に伴って前記脚部が前記ターンテーブルの中心軸から遠ざかるように押し広げられ、前記脚部の側面である挟持部が前記ターンテーブルの側面を挟み込み、当該ターンテーブルの側面を、前記脚部を構成する弾性体の復元力によって加圧することで芯出しを可能にした陶芸轆轤用作業板。
【請求項２】陶芸用轆轤のターンテーブル上に裁置して使用され、裏面に脚部を設け、当該脚部と脚部の間にターンテーブルが収まる構成の陶芸轆轤用作業板であり、前記脚部の作業板中心軸方向側面に断面円形の回転体を配し、当該回転体が弾力を有することで前記ターンテーブルの側面に圧着する構成である陶芸轆轤用作業板。
【請求項３】陶芸用轆轤のターンテーブル上に裁置して使用され、裏面に基部と脚部と案内部よりなる脚材を設け、当該脚部と脚部の間にターンテーブルが収まる構成の陶芸轆轤用作業板であり、当該脚部に挟持部を設け、挟持部の内の少なくとも一つが加圧手段を有し、当該加圧手段がターンテーブルの側面を加圧することにより芯出しを可能にした陶芸轆轤用作業板であって、前記加圧手段を前記作業板の裏面と前記基部の間に曲折形成された弾性体を挟設することによって下方端部がターンテーブルの中心軸方向に近寄るように傾かせてあった脚部が、設置に伴って前記ターンテーブルの中心軸から遠ざかる様に外側に開いたことの復元力とする陶芸轆轤用作業板。
【請求項４】陶芸用轆轤のターンテーブル上に裁置して使用され、裏面に基部と脚部と案内部よりなる脚材を設け、当該脚部と脚部の間にターンテーブルが収まる構成の陶芸轆轤用作業板であり、前記作業板の裏面と前記基部の間にゴム又は合成樹脂による柔軟な弾性体を挟設し、前記案内部先端が前記ターンテーブルの中心軸から遠ざかる様に外側に開き、当該案内部を前記ターンテーブルの角にあてがい前記作業板を前記ターンテーブルに向かって押し込むと、設置に伴って前記脚部が前記ターンテーブルの中心軸から遠ざかるように押し広げられ、前記脚部が前記ターンテーブルの側面を前記柔軟な弾性体の復元力によって挟み込み、加圧することで芯出しを可能とした陶芸轆轤用作業板。
【請求項５】裏面に複数個の脚部を設けた作業板であって、ターンテーブルに作業板を載せると、前記脚部と脚部の間にターンテーブルが収まる構成であり、脚部側面に挟持部が可動的に設けられており、前記挟持部に係止爪と柔軟弾性体が設けてあり、ターンテーブルに作業板を載せると当該係止爪がターンテーブルに係り、作業板を下方向に押し込むと挟持部をターンテーブル側面に向かって加圧し、前記柔軟弾性体が変形して挟持部がターンテーブル側面を挟持し、柔軟弾性体の復元力がターンテーブル側面を加圧して固定と芯出しをする陶芸轆轤用作業板。
【請求項６】前記挟持部に係止爪とへの字型の遊嵌孔を設け、脚部に設けた支持腕を前記遊嵌孔に遊嵌させることにより、係止爪が前記ターンテーブルの角に掛止した状態で作業板をターンテーブルに向かって押し込むと前記支持腕が前記遊嵌孔に沿って滑動し、前記挟持部をターンテーブル側面に向かって加圧し芯出しをする構成である請求項５に記載した陶芸轆轤用作業板。
【請求項７】前記作業板の裏面にゴムや合成樹脂等による滑動防止部を配し、滑動防止効果を持たせた請求項１、２、３、４、５又は６のいずれかに記載した陶芸轆轤用作業板。
【発明の詳細な説明】
【０００１】
【発明が属する技術分野】
本発明は陶芸用轆轤に載せて使用し、自動的に芯出しができて、ターンテーブル上での滑動を防止できる陶芸轆轤用作業板に関するものである。
【０００２】
【従来の技術】
従来、作陶活動に於ける轆轤を使った成形作業において、大型作品を成形した場合や成形途中の作品は、粘土が軟弱であるため轆轤のターンテーブル上から作品を移動することが困難であることから、亀板と呼ばれる作業板をターンテーブルの載せてその上に作品を形成し、亀板とともに作品を移動することにより大型作品の成形直後の作品や成形途中の移動を容易にしてきた。亀板は角を落として多角形とした板の裏面に桟を打ち付けた物であり、これを粘土の粘着性により轆轤の回転体であるターンテーブル上に張り付けて成形に使用されてきた。
【０００３】
陶芸に於ける大型の作品の成形では、粘土の自重により変形や亀裂が生じやすく一気に成形できないことから、成形途中の作品を載せた亀板を一旦轆轤から外し、幾分乾燥が進んだ時点で亀板を再度轆轤に乗せ、作品に粘土を継ぎ足して成形を進める必要が生じる。この際、先に成形してある成形途中の作品を、ターンテーブルの中心軸と作品の中心軸とを合わせて、ターンテーブル上に据え付ける必要が生じる。一旦取り外した亀板を、中心軸を合わせて据え付けるには熟練が必要であり、初心者には大変面倒な、あるいは実施困難な作業であった。
【０００４】
【特許文献１】実開昭５１−３６５９
実開昭５１−３６５９に示された考案は「ろくろの回転盤Ｂに外接する枠Ａを、平板１の裏面に設置してなる粘土工作台」であり、具体的には「木材からなる正八角形の平板の裏面に、木材からなる４本の角棒を設置し、該角棒の内面でもって未完結の枠が、回転板に外接するように形成する。この考案の工作台をろくろの回転盤にかぶせるように設置すれば、工作台の上面は、枠とろくろの回転盤との摩擦により平板は轆轤と同時に回転する」というものである。
【０００５】
上記考案の製造に当たっては高度な技術を要さないものの、轆轤の回転盤（ターンテーブル）を枠が強く圧迫するほど密着するように製造することは困難である。そのように製造し得たとしても、使用と共に摩耗等により接触面にゆるみが生じ、長期間に亘って繰り返し使用することは困難である。
【０００６】
この課題を解決するものとして、上記考案の４本の角棒あるいはこれに代わる金具等にゴム等の弾性体を貼り付けて挟持部を形成することが考えられるが、この場合、複数の挟持部で前記ターンテーブルを挟み込み、ターンテーブルの裁置面に対してほぼ直角の挟持部をターンテーブルの側面を摺動しながら下に押し込むことが必要となる。
【０００７】
上記の方法によれば、位置合わせが面倒であることや、設置時に前記挟持部に張り付けた弾性体の角がターンテーブルの角に当たり、使用の継続と共に弾性体がすり切れることや、ターンテーブル側面をゴム等の弾性体の表面で摺動しながら押し込むことが可能な程度の圧力では芯出しに狂いが生じやすい。無造作に作業板をターンテーブルに乗せても位置合わせが確実に出来て、長期間使用しても容易に痛まない陶芸轆轤用作業板が望まれる。
【０００８】
この他、陶芸轆轤用作業板としては、複数の穴を開けた平板を轆轤のターンテーブル上に張り付けておき、作業板裏面の、上記平板の穴に対応する位置に突起物形成し、上記穴と上記突起物を嵌合させて作業板を裁置することにより、作業板とターンテーブルの位置関係を保ち、芯出しを行うものが市販されている。この作業板は芯出しが確実にできる点で優れているものの、作業板の他に取り付け盤が必要であり、据え付けにしない限り不便である。日々、様々な作業内容で、変化のある作陶活動をする場合には、作業板とは別の取り付け盤を設置する方法では作業が極めて面倒である。また、経済的とも言い難い。
【０００９】
【発明が解決しようとする課題】
無造作に作業板をターンテーブルに載せても自動的に芯出しが出来て、長期間使用しても容易に痛むことがなく、安価に製造できて使い勝手のよい陶芸轆轤用作業板を提供すること。
【００１０】
【課題を解決するための手段】
陶芸用轆轤のターンテーブル上に裁置して使用され、裏面に棒状硬質弾性体で形成され下端部先端に作業板を誘導するための案内部を配した脚部を作業板の裏面に着脱可能に係着して設け、当該脚部と脚部の間にターンテーブルが収まる構成の陶芸轆轤用作業板であり、当該作業板の前記轆轤への設置に当たっては、前記案内部を前記ターンテーブルの角にあてがい前記作業板を前記ターンテーブルに向かって押し込むと、設置に伴って前記脚部が前記ターンテーブルの中心軸から遠ざかるように押し広げられ、前記脚部の側面である挟持部が前記ターンテーブルの側面を挟み込み、当該ターンテーブルの側面を、前記脚部を構成する弾性体の復元力によって加圧することで芯出しを可能にした陶芸轆轤用作業板を供する。
【００１１】
陶芸用轆轤のターンテーブル上に裁置して使用され、裏面に脚部を設け、当該脚部と脚部の間にターンテーブルが収まる構成の陶芸轆轤用作業板であり、前記脚部の作業板中心軸方向側面に断面円形の回転体を配し、当該回転体が弾力を有することで前記ターンテーブルの側面に圧着する構成である陶芸轆轤用作業板を供する。
【００１２】
陶芸用轆轤のターンテーブル上に裁置して使用され、裏面に基部と脚部と案内部よりなる脚材を設け、当該脚部と脚部の間にターンテーブルが収まる構成の陶芸轆轤用作業板であり、当該脚部に挟持部を設け、挟持部の内の少なくとも一つが加圧手段を有し、当該加圧手段がターンテーブルの側面を加圧することにより芯出しを可能にした陶芸轆轤用作業板であって、前記加圧手段を前記作業板の裏面と前記基部の間に曲折形成された弾性体を挟設することによって下方端部がターンテーブルの中心軸方向に近寄るように傾かせてあった脚部が、設置に伴って前記ターンテーブルの中心軸から遠ざかる様に外側に開いたことの復元力とする陶芸轆轤用作業板を供する。
【００１３】
陶芸用轆轤のターンテーブル上に裁置して使用され、裏面に基部と脚部と案内部よりなる脚材を設け、当該脚部と脚部の間にターンテーブルが収まる構成の陶芸轆轤用作業板であり、前記作業板の裏面と前記基部の間にゴム又は合成樹脂による柔軟な弾性体を挟設し、前記案内部先端が前記ターンテーブルの中心軸から遠ざかる様に外側に開き、当該案内部を前記ターンテーブルの角にあてがい前記作業板を前記ターンテーブルに向かって押し込むと、設置に伴って前記脚部が前記ターンテーブルの中心軸から遠ざかるように押し広げられ、前記脚部が前記ターンテーブルの側面を前記柔軟な弾性体の復元力によって挟み込み、加圧することで芯出しを可能とした陶芸轆轤用作業板を供する。
【００１４】
裏面に複数個の脚部を設けた作業板であって、ターンテーブルに作業板を載せると、前記脚部と脚部の間にターンテーブルが収まる構成であり、脚部側面に挟持部が可動的に設けられており、前記挟持部に係止爪と柔軟弾性体が設けてあり、ターンテーブルに作業板を載せると当該係止爪がターンテーブルに係り、作業板を下方向に押し込むと挟持部をターンテーブル側面に向かって加圧し、前記柔軟弾性体が変形して挟持部がターンテーブル側面を挟持し、柔軟弾性体の復元力がターンテーブル側面を加圧して固定と芯出しをする陶芸轆轤用作業板を供する。
【００１５】
前記挟持部に係止爪とへの字型の遊嵌孔を設け、脚部に設けた支持腕を前記遊嵌孔に遊嵌させることにより、係止爪が前記ターンテーブルの角に掛止した状態で作業板をターンテーブルに向かって押し込むと前記支持腕が前記遊嵌孔に沿って滑動し、前記挟持部をターンテーブル側面に向かって加圧し芯出しをする構成である陶芸轆轤用作業板を供する。
【００１６】
前記作業板の裏面にゴムや合成樹脂等による滑動防止部を配し、滑動防止効果を持たせた請求項１、２、３、４、５又は６のいずれかに記載した陶芸轆轤用作業板を供する。
【００１７】
【発明の実施の形態】
発明の実施の形態について図を用いて説明する。
図１は実施例１に於ける陶芸轆轤用作業板裏面の斜視図であり、陶芸轆轤のターンテーブルに裁置した状態を示す。本図に於いては加圧手段を省略し、２図で表している。作業板１の裏面１１に、脚部２を複数個設け、当該脚部２の側面を挟持部３とする。陶芸用轆轤４のターンテーブル４１の側面４１１を前記挟持部Ａ３１と他の挟持部Ｂ３２及び挟持部Ｃ３３によって挟む。前記挟持部３の内の少なくとも一つに加圧手段５を持たせ、ターンテーブル４１の側面４１１を中心軸方向に加圧して芯出しをする。つまり、ターンテーブル４１の中心軸と作業板１の中心軸を一致させる。
【００１８】
この際、ターンテーブル４１と作業板１の中心点が完全に一致することが望ましいが、前記両者の位置関係が一定であれば、作業板１の中心点がターンテーブル４１の中心点から僅かにずれることは実用上問題とならない。前記両者の位置関係が一定であれば、作業板１上に形成された作品の芯（中心軸）はターンテーブル４１の中心軸と一致する。本図では脚部の数が３である例を取り上げているが、別の平らな板等への接地点の平面性を得るためには、脚部の数が３であるとき一番安定しており、５程度以内に構成するのが実用的である。脚部の数が１か２である場合には轆轤のターンテーブル外周に合わせた横に幅広の形状にする必要がある。
【００１９】
図２は実施例１における脚部２および挟持部３の拡大図である。脚部２は基部２１の孔２２に通したネジ２３で作業板１の裏面１１に固定される。作業板１が合成樹脂等によって一体成形される場合には前記基部２１及び孔２２やネジ２３を必要としない。挟持部３は脚部２のターンテーブル４１側に位置する側面に、加圧手段５である加圧棒５０を介して取り付けられる。加圧棒５０は脚部２に刻まれたねじ部２４と嵌合するねじ部５２を有するネジ構造体であり、つまみ部５１を摘んで回すことにより、前進、後退ができ、先端に挟持部３が可動的に取り付けられている。
【００２０】
図１のごとく作業板１の裏面１１に脚部２および挟持部３を配し、挟持面３０でターンテーブルの側面４１１を挟持し、つまみ部５１をひねる様に回すことで加圧棒５０をターンテーブル側面４１１に向かって前進させ、挟持部３を押し出して加圧し、作業板１の芯だしをする。挟持部３の下端に案内部６が設けてあり、前記ターンテーブル４１上に大まかに見当をつけて作業板１を裁置すると、作業板１の中心軸と前記ターンテーブル４１の中心軸とを合わせるように作業板１を誘導する。加圧棒５０を設けた脚部２が一つである場合には他の加圧棒を持たない脚部下端に案内部６を設ける。
【００２１】
図３の図Ａは実施例２に於ける基部２１と、挟持部３（挟持面３０）を兼ねた脚部２と、案内部６からなる脚材の断面図である。当該脚材は全体が硬質弾性体で成形されている。基部２１には孔２２があけられ、固定手段であるネジ２３によって作業板１の裏面１１に固定される。作業板１が脚部２を含んだ合成樹脂等による一体成形である場合には孔２２やネジ２３を必要としない。また、弾性体が細い棒状体であることや作業板への取り付け方法が作業板に設けた掛着部による掛着等であることも可能である。
【００２２】
基部２１と脚部２が交接して内角αが９０度よりも若干大である角度を有し、前記脚部２の下方端部が作業板１を轆轤４へ設置したときにターンテーブル４１の中心軸方向に近寄るように傾かせてあり、前記脚部２の下方端部先端と案内部６が交接し、前記案内部６の先端が前記ターンテーブル４１の中心軸から遠ざかる様に外側に開き、加圧手段５を脚部２を構成する弾性体の復元力とし、挟持部３（挟持面３０）を前記脚部２の下方端部先端と案内部６が交接した部位あるいは脚部２の側面とする。
【００２３】
図３の図Ｂは実施例２に於いて、作業板１をターンテーブル４１に設置する状況を示した断面図である。ターンテーブル４１上に作業板１を載せる際に案内部６が作業板１を誘導するため、大まかに見当をつけて置くだけで作業板１をターンテーブル４１上の適切な位置に設置できる。案内部６をターンテーブル４１の角にあてがい作業板１をターンテーブル４１に向かって押し込むと脚部２はターンテーブル４１の中心軸から遠ざかるように押し広げられて、挟持部３（挟持面３０）がターンテーブル４１の側面４１１を挟み込み、挟持する。部材が単純な形状であるため低コストで陶芸轆轤用作業板が製造でき、簡単な操作で確実な芯出しを可能にする。
【００２４】
図４の図Ａは実施例２に於ける脚材を棒状弾性体にした脚材の斜視図であり、図Ｂは脚材に棒状弾性体を使用した上記作業板の設置状況を示した断面図である。脚部を棒状弾性体５３４に置き換えても効果に変わりはない。本図では棒状弾性体５３４を作業板１の裏面１１に設けた嵌合部１２に嵌合させて掛着させた構造であるため、脚材と板材との分離が可能であることから小さく梱包できり、収納運搬に有利である。
【００２５】
図５は実施例３に於ける脚材の断面図である。当該脚材は、基部２１と脚部２が交接した内角がほぼ９０度であり、作業板１の中心方向である前記脚部の作業板中心軸方向側面に板状弾性体５３を、当該脚部２から浮かした状態で、ターンテーブル４１の中心軸方向に傾けて設けることで、前記板状弾性体５３がその復元力によって前記ターンテーブル側面４１１に圧着することを加圧手段５とし、当該板状弾性体５３の下部が前記ターンテーブルから遠ざかるように屈折して案内部６を形成する。
【００２６】
前記脚部２の側面を挟持部３とする。案内部６の先端を更に屈折させて弾性補助部５４を形成してその先端を脚部２に隣接させ、当該先端が脚部側面を滑動可能にすることで挟持部３（挟持面３０）がターンテーブル側面４１１を加圧する弾力を補強するものとすることが可能である。案内部６にターンテーブル４１の角をあてがい、作業板１を押し込むことによって前記板状弾性体５３の復元力が加圧手段として機能し、自動的に芯だしをする。前記板状弾性体５３は細い棒状弾性体５３４と置き換えることが可能であり、効果に変わりはない。部材が単純な形状であるため低コストで陶芸轆轤用作業板が製造でき、簡単な操作で確実な芯出しを可能にする。
【００２７】
図６は実施例４に於ける脚材の断面図である。本実施例は実施例３に於ける板状弾性体５３を波状弾性体５３１に置き換えたものである。板状弾性体５３を波状弾性体５３１に置き換えても、機能に大きな違いは生じないが、ターンテーブルの側面への加圧点が増え、均一な力がターンテーブルの側面に加わる。また、設置に伴い変形される部位の数が多くなることから、使用する素材が板状弾性体５３と同一であれば加圧する力が強くなり、ターンテーブルへ作業板を固定する力も強い。また、波状弾性体が細い棒状弾性体５３４と置き換えることが可能であり、同様の効果を発揮する。
【００２８】
図７は実施例５に於ける脚材の断面図である。基部２１と脚部２が交接した内角αがほぼ９０度であり、作業板１の中心部方向である前記脚部２の内側に柔軟弾性体５５を配し外側を硬質板材３４で覆い、作業板１を轆轤４へ設置したときに前記柔軟弾性体５５の復元力によって当該硬質板材３４が轆轤４のターンテーブル側面４１１に圧着することで加圧手段５とし、当該硬質板材３４の下部が前記ターンテーブルから遠ざかるように屈折して開き、案内部６を形成する。加圧手段５がゴムや合成樹脂等の柔軟弾性体５５の復元力であるため、腐食等の恐れがない。当該柔軟弾性体５５は硬質板材３４及び案内部６に守られ、ターンテーブル４１の角及びターンテーブル側面４１１との摺擦によって摩耗、変形することなく長期間の使用に耐えることができる。
【００２９】
図８は実施例６に於ける脚材の断面図である。脚材が基部２１と脚部２が交接した内角αがほぼ９０度であり、作業板１の中心軸方向である前記脚部２の内側に円盤状、円柱状あるいは球状の回転体５６を配し、作業板１を轆轤４へ設置したときに当該円盤状、円柱状あるいは球状の回転体５６が弾力を有することで轆轤４のターンテーブル側面４１１に圧着することで加圧手段５とし、前記脚部２の下部が前記ターンテーブル４１から遠ざかるように屈折して案内部を形成する。
【００３０】
回転体５６の弾力は、当該回転体５６の製造に使用する素材固有の弾力であるか、当該回転体５６の構造から生じる弾力であるか、又は回転軸５６１の有する弾力である等の区別を有することなく、前記弾力が複合して生じる力を含め回転体５６が前記ターンテーブル側面４１１を加圧する力そのものを指すものとする。当該回転体５６は加圧手段５であると同時に挟持部３（挟持面３０）である。
【００３１】
加圧手段５を、前記挟持部に配した円盤状、円柱状あるいは球状の回転体の有する弾力とした場合には前記脚部間にターンテーブルを押し込む際の抵抗を減らし、容易に設置可能とすることができる。ターンテーブルの側面を回転体５６が回転して移動するため、ターンテーブルへの作業板の取り付けがスムースに行われる。つまり、ターンテーブルの側面を硬質の板材等が摺擦しながら挟持部を押し込むということが無いため、ターンテーブルを傷つけることがない。
【００３２】
図９の図Ａは実施例７に於ける作業板１をターンテーブル４１に設置する状況を示した断面図である。硬質の板材を屈折させて基部２１と脚部２と案内部６を構成した脚材であり、前記作業板１の裏面１１と前記基部２１の間に弾性体、ここでは屈折させた板状弾性体５３２を挟むことによって前記作業板１を轆轤４へ設置したときに脚部２の下方端部がターンテーブル４１の中心軸方向に近寄るように傾かせてあり、前記脚部２の下方端部先端と案内部６が交接し、前記案内部６の先端が前記ターンテーブル４１の中心軸から遠ざかる様に外側に開き、加圧手段５を屈折させた板状弾性体５３２の復元力とし、挟持部３（挟持面３０）を前記脚部２の下方端部先端と案内部６が交接した部位あるいは脚部２の側面とする。
【００３３】
屈折させた板状弾性体５３２の存在により、基部２１の片側が作業板の裏面１１から浮き上がって設置され、挟持部３が作業板１を垂直に貫く中心軸方向に傾いて構成される。設置に当たっては案内部６をターンテーブル４１の角にあてがい、作業板１をターンテーブル４１に向かって押し込むと、屈折させた板状弾性体５３２が弾性を発揮して角度を狭め、ターンテーブル４１の角が案内部６の表面を滑動し、脚部２が中心軸から離れるように押し拡げられる。挟持部３（挟持面３０）がターンテーブル４１の側面４１１に位置してターンテーブルの側面４１１を挟持する。
【００３４】
図Ｂは屈折させた板状弾性体５３２の斜視図である。屈折させた板状弾性体５３２はＶ字型に折り曲げられた板状弾性体であって作業板１の裏面１１と基部２１の間に配され、固定用孔５３３を通したネジ２３で固定される。作業板１をターンテーブル４１に設置すると、屈折させた板状弾性体５３２によって浮き上がっていた基部２１の片側が作業板１の裏面１１方向に押しつけられる。屈折させた板状弾性体５３２は形状を復元しようとして基部２１と作業板１の裏面１１を離すそうとする。結果としてターンテーブル４１の側面４１１を挟持部３（挟持面３０）が加圧し、芯出しをする。板状弾性体５３２を細い棒状弾性体５３４に置き換えても同様の効果を発揮する。
【００３５】
図１０の図Ａは実施例８に於ける作業板１をターンテーブル４１に設置する状況を示した断面図である。図９の図Ａに於ける弾性体であるＶ字型に折り曲げられた屈折させた板状弾性体５３２を柔軟弾性体Ｂ５５１に置きかえたものである。
【００３６】
図Ｂは基部２１に柔軟弾性体Ｂ５５１を取り付けた脚材の斜視図である。屈折させた板状弾性体５３２を柔軟弾性体Ｂ５５１に置きかえても効果に大きな違いはないが、柔軟弾性体Ｂ５９は楔形等に成形することなく直方体のままで良く、組み立て時に作業板１の内側に当たる部位のネジを強く締め付けるだけで、脚部２を作業板１の中心軸方向に傾いた状態にすることが出来ると共に、挟持部３にターンテーブル４１の側面４１１を加圧する力も与えることが出来る。弾性体はゴムや合成樹脂等による柔軟弾性体Ｂ５５１であるため、腐食する心配もなくなる。また、直接、ターンテーブル４１を摺擦することがないため、摩耗や変形による劣化を防ぐこともできる。
【００３７】
図１１の図Ａは実施例９の断面図である。裏面に複数個の脚部２を設けた作業板１であって、ターンテーブル４１に作業板１を乗せると、前記脚部２と脚部２の間にターンテーブル４１が収まる構成であり、脚部２の側面に挟持部３が可動的に配され、ターンテーブル４１に作業板１を載せると挟持部３の係止爪３５がターンテーブル４１に係って他の挟持部３（挟持面３０）と共にターンテーブルの側面１１を挟持する。
【００３８】
前記挟持部３に係止爪３５と、への字型の遊嵌孔３６を設け、前記脚部２に支持腕２5を設けて遊嵌孔３６に遊嵌させることにより、係止爪３５がターンテーブル４１の角に係止した状態で作業板１をターンテーブル４１に向かって押し込むと支持腕２5が遊嵌孔３６に沿って滑動し、挟持部３（挟持面３０）をターンテーブルの側面４１１に向かって加圧する。このことにより、作業板の芯出し作業が自動的になされ、かつ、作業板１のターンテーブルへの固定が同時になされる。
【００３９】
図Ｂは前記遊嵌孔３６と支持腕２5の関係を示す遊嵌孔３６周辺の拡大図である。作業板１を下方向に押し込むと遊嵌孔３６に沿って支持腕２5が下に向かって滑動し、挟持部３をターンテーブル４１に押しつけて固定と芯出しをする。支持湾２４がへの字型の遊嵌孔３６における山の部分を乗り越えると、柔軟弾性体Ｃ５５２の反発力によって挟持部３全体が押し返され、支持腕２5がへの字型の遊嵌孔３６の最下端で止まり、安定する。
【００４０】
本実施例では遊嵌孔３６を設けてあるが、必ずしも遊嵌孔３６は必要でなく、挟持部３の上下幅に於ける中点よりもわずか下に穴をあけ、当該孔に支持腕２５を嵌合させても設置に伴う芯だし効果が得られる。しかし、本実施例のようにへの字型の遊嵌孔を有するもの方が挟持部３をターンテーブル側面４１１から離すことができて位置合わせがしやすくなり、ターンテーブル側面４１１を締め付ける力も強くなる。
【００４１】
図１２の図Ａは実施例１０における作業板１の裏面１１を示す斜視図であり、図Ｂは実施例１１における作業板１の裏面１１を示す斜視図である。脚部２及び挟持部３に囲まれた裏面１１に実施例１０では板状の滑動防止部１１１を、実施例１１では点状の滑動防止部１１２をそれぞれ設けた例である。前記滑動防止部は作業板の裏面１１にのり付けや鋲止めによる他、作業板の裏面１１に穴をあけ一部を突出させて埋設するなどの方法で固定する。
【００４２】
図１３は実施例１０に於ける作業板１の使用の状態を示す断面図であり、前記作業板裏面１１に板状の滑動防止部１１１を形成し、ターンテーブル４１上に設置し、作業板上には成型用の粘土７を載せた状態を示す断面図である。粘土７の重量が作業板を下方向に向かって押しつけ、作業板裏面１１の板状滑動防止部１１１がターンテーブル４１の表面に圧着し、作業板１がターンテーブル４１の表面を滑動することを防ぐ。
【００４３】
いわゆる亀板と称される陶芸轆轤用作業板は粘土の粘着力によってターンテーブル４１の表面に張り付けられて固定されて使用されることが一般的であるが、粘土が作業板を固定する力は弱く、作業板に打ち付けられた桟あるいは作業板の裏面を粘土で汚すことにもなり、場合によっては粘土が張りついてしまって剥がすことが面倒な場合も生じる。
【００４４】
本願発明では挟持部３（挟持面３０）によってターンテーブル４１の側面４１１を加圧しているため、芯出しの効果と同時に滑動防止効果も生じる。しかし、挟持部３の主な目的は芯だし効果を得ることにあり、制作する作品の大きさや粘土の性質および制作者の技量等にも左右されるが、作業板１を固定する滑動防止効果は十分とは言い難い。柔軟弾性体等によって板状の滑動防止部１１１あるいは点状の滑動防止部１１２を設けることで、作業板１がターンテーブル４１上で滑動することを防ぎ、安心して成形作業に当たることが出来るようになる。
【００４５】
図１４は実施例１２における作業板１の設置の状態を示す斜視図であり、滑動防止材１１３を間に挟んでターンテーブル４１上に作業板１を設置する様子を表した斜視図である。陶芸用轆轤４の上部に設けたターンテーブル４１の上に滑動防止材１１３を置き、ターンテーブル４１の側面４１１を挟持部３が挟むように作業板１を載せて設置する。滑動防止効果を得られる点では作業板１の裏面１１に滑動防止部を設けたものと同様の効果が得られる。
【００４６】
作業板１の裏面１１に滑動防止部を設けたものと比べ、作業板１を裁置する作業の度に滑動防止材１１３がターンテーブル４１の中央に載っているか注意する必要があり、使用に面倒さがある。しかし、作業板裏面１１に滑動防止部１１１を張り付ける製造工程が省けると共に、滑動防止材１１３は作業板１の複数枚に対し一枚の割で用意すればよく、コストを削減出来る。滑動防止材１１３はその形状が円形の板状であることが望ましいが、紐状体の端部と端部を結合して円状にしたものや粒状の小さな塊が多数連結させたものなどでも同様の効果を生じる。また板状体であっても凹凸を設けたもの、孔を有するものも同様である。
【００４７】
【発明の効果】
本願発明は陶芸用轆轤のターンテーブル上に裁置して使用され、裏面に棒状硬質弾性体で形成され下端部先端に作業板を誘導するための案内部を配した脚部を作業板の裏面に着脱可能に係着して設け、当該脚部と脚部の間にターンテーブルが収まる構成の陶芸轆轤用作業板であり、当該作業板の前記轆轤への設置に当たっては、前記案内部を前記ターンテーブルの角にあてがい前記作業板を前記ターンテーブルに向かって押し込むと、設置に伴って前記脚部が前記ターンテーブルの中心軸から遠ざかるように押し広げられ、前記脚部の側面である挟持部が前記ターンテーブルの側面を挟み込み、当該ターンテーブルの側面を、前記脚部を構成する弾性体の復元力によって加圧することで芯出しを可能にした陶芸轆轤用作業板であるため次の効果を奏する。
【００４８】
部材が単純な形状であるため、芯出し効果を有する陶芸ろくろ用作業板が低コストで製造でき、簡単な操作で確実な芯出しを可能にでき、作業板裏面から脚材を分離可能であることから小さく梱包でき、収納や運搬に有利である。
【００４９】
陶芸用轆轤のターンテーブル上に裁置して使用され、裏面に脚部を設け、当該脚部と脚部の間にターンテーブルが収まる構成の陶芸轆轤用作業板であり、前記脚部の作業板中心軸方向側面に断面円形の回転体を配し、当該回転体が弾力を有することで前記ターンテーブルの側面に圧着する構成である陶芸轆轤用作業板であるため次の効果を奏する。
【００５０】
ターンテーブルへの取り付けがスムーズに行われ、ターンテーブルを傷つけることがない。
【００５１】
陶芸用轆轤のターンテーブル上に裁置して使用され、裏面に基部と脚部と案内部よりなる脚材を設け、当該脚部と脚部の間にターンテーブルが収まる構成の陶芸轆轤用作業板であり、当該脚部に挟持部を設け、挟持部の内の少なくとも一つが加圧手段を有し、当該加圧手段がターンテーブルの側面を加圧することにより芯出しを可能にした陶芸轆轤用作業板であって、前記加圧手段を前記作業板の裏面と前記基部の間に曲折形成された弾性体を挟設することによって下方端部がターンテーブルの中心軸方向に近寄るように傾かせてあった脚部が、設置に伴って前記ターンテーブルの中心軸から遠ざかる様に外側に開いたことの復元力とする陶芸轆轤用作業板であるため次の効果を奏する。
【００５２】
部材が単純な形状であるため、低コストで陶芸ろくろ用作業板が製造でき、簡単な操作で確実な芯出しを可能にできる。
【００５３】
陶芸用轆轤のターンテーブル上に裁置して使用され、裏面に基部と脚部と案内部よりなる脚材を設け、当該脚部と脚部の間にターンテーブルが収まる構成の陶芸轆轤用作業板であり、前記作業板の裏面と前記基部の間にゴム又は合成樹脂による柔軟な弾性体を挟設し、前記案内部先端が前記ターンテーブルの中心軸から遠ざかる様に外側に開き、当該案内部を前記ターンテーブルの角にあてがい前記作業板を前記ターンテーブルに向かって押し込むと、設置に伴って前記脚部が前記ターンテーブルの中心軸から遠ざかるように押し広げられ、前記脚部が前記ターンテーブルの側面を前記柔軟な弾性体の復元力によって挟み込み、加圧することで芯出しを可能とした陶芸轆轤用作業板であるため次の効果を奏する。
【００５４】
弾性体がゴムや合成樹脂合成樹脂による柔軟弾性体であるため腐食することが無く、摺擦することもないため摩耗や変形による劣化を防ぐことができる。
【００５５】
裏面に複数個の脚部を設けた作業板であって、ターンテーブルに作業板を載せると、前記脚部と脚部の間にターンテーブルが収まる構成であり、脚部側面に挟持部が可動的に設けられており、前記挟持部に係止爪と柔軟弾性体が設けてあり、ターンテーブルに作業板を載せると当該係止爪がターンテーブルに係り、作業板を下方向に押し込むと挟持部をターンテーブル側面に向かって加圧し、前記柔軟弾性体が変形して挟持部がターンテーブル側面を挟持し、柔軟弾性体の復元力がターンテーブル側面を加圧して固定と芯出しをする陶芸轆轤用作業板であるため次の効果を奏する。
【００５６】
ターンテーブルを中心軸方向へ加圧する力が得られ、芯出し効果が確実であり、制作中に於ける作業板の滑動も防ぐことができる。
【００５７】
前記挟持部に係止爪とへの字型の遊嵌孔を設け、脚部に設けた支持腕を前記遊嵌孔に遊嵌させることにより、係止爪が前記ターンテーブルの角に掛止した状態で作業板をターンテーブルに向かって押し込むと前記支持腕が前記遊嵌孔に沿って滑動し、前記挟持部をターンテーブル側面に向かって加圧し芯出しをする構成である陶芸轆轤用作業板であるため次の効果を奏する。
【００５８】
支持腕が遊嵌孔に沿って滑動することで、挟持部をターンテーブル側面に向かって強い力で押しつけ、作業板のターンテーブル上の滑動を防止するより強い締め付け力を得ることが可能となる
【００５９】
前記作業板の裏面にゴムや合成樹脂等による滑動防止部を配し、滑動防止効果を持たせた陶芸轆轤用作業板であるため次の効果を奏する。
【００６０】
作業板がターンテーブルの表面を滑動することを防ぐことができる。
【図面の簡単な説明】
【図１】実施例１に於ける陶芸轆轤用作業板裏面の斜視図である。
【図２】実施例１における脚部２および挟持部３の拡大図である。
【図３】図Ａは実施例２に於ける脚材の断面図である。
図Ｂは実施例２に於ける作業板の設置状況を示した断面図である。
【図４】図Ａは実施例２に於ける脚材のを棒状弾性体にしたる脚材の斜視図である。
図Ｂは脚材に棒状弾性体を使用した上記作業板の設置状況を示した断面図である。
【図５】実施例３に於ける脚材の断面図である。
【図６】実施例４に於ける脚材の断面図である。
【図７】実施例５に於ける脚材の断面図である。
【図８】実施例６に於ける脚材の断面図である。
【図９】図Ａは実施例７の設置状況を示した断面図である。
図Ｂは実施例７に於ける屈折させた板状弾性体の斜視図である。
【図１０】図Ａは実施例８の設置状況を示した断面図である。
図Ｂは実施例８に於ける脚材の斜視図である。
【図１１】図Ａは実施例９の断面図である。
図Ｂは図Ａに於ける遊嵌孔周辺の拡大図である。
【図１２】図Ａは実施例１０における作業板の裏面を示す斜視図である。
図Ｂは実施例１１における作業板の裏面を示す斜視図である。
【図１３】実施例１０における作業板使用の状態を示す断面図である。
【図１４】実施例１２における作業板１の設置の状態を示す斜視図である。
【符号の説明】
１  作業板
１１  作業板の裏面
１２  嵌合部
１１１  板状の滑動防止部
１１２  点状の滑動防止部
１１３  滑動防止材
２  脚部
２１  基部
２２  孔
２３  ネジ
２４  ねじ部
２５  支持腕
３  挟持部
３０  挟持面
３１  挟持部Ａ
３２  挟持部Ｂ
３３  挟持部Ｃ
３４  硬質板材
３５  係止爪
３６  遊嵌孔
４  陶芸用轆轤
４１  ターンテーブル
４１１  ターンテーブルの側面
５  加圧手段
５０  加圧棒
５１  つまみ部
５２  ねじ部
５３  板状弾性体
５３１  波状弾性体
５３２  屈折させた板状弾性体
５３３  固定用孔
５３４  棒状弾性体
５４  弾性補助部
５５  柔軟弾性体
５５１  柔軟弾性体Ｂ
５５２  柔軟弾性体Ｃ
５６  回転体
５６１  回転軸
６  案内部
７  粘土




【手続補正書】
【提出日】平成16年1月16日(2004.1.16)
【手続補正１】
【補正対象書類名】明細書
【補正対象項目名】全文
【補正方法】変更
【補正の内容】
【特許請求の範囲】
【請求項１】陶芸用轆轤のターンテーブル上に裁置して使用され、裏面に棒状硬質弾性体で形成された脚部を作業板の裏面に着脱可能に係着して設け、当該脚部と脚部の間にターンテーブルが収まる構成の陶芸轆轤用作業板であり、当該作業板の前記轆轤への設置に当たっては、前記脚部を前記ターンテーブルの角にあてがい前記作業板を前記ターンテーブルに向かって押し込むと、設置に伴って前記脚部が前記ターンテーブルの中心軸から遠ざかるように押し広げられ、前記脚部の側面が前記ターンテーブルの側面を挟み込み、当該ターンテーブルの側面を前記脚部を構成する弾性体の復元力によって加圧することで芯出しを可能にした陶芸轆轤用作業板。
【請求項２】陶芸用轆轤のターンテーブル上に裁置して使用され、裏面に脚部を設け、当該脚部と脚部の間にターンテーブルが収まる構成の陶芸轆轤用作業板であり、前記脚部の作業板中心軸方向側面に断面円形の回転体を配し、当該回転体が弾力を有することで前記ターンテーブルの側面に圧着する構成である陶芸轆轤用作業板。
【請求項３】陶芸用轆轤のターンテーブル上に裁置して使用され、裏面に少なくとも基部と脚部を有する脚材を設け、当該脚部と脚部の間にターンテーブルが収まる構成の陶芸轆轤用作業板であり、当該脚部の内の少なくとも一つが加圧手段を有し当該加圧手段がターンテーブルの側面を加圧することにより芯出しを可能にした陶芸轆轤用作業板であって、前記加圧手段を前記作業板の裏面と前記基部の間に曲折形成された弾性体を挟設することによって、下方端部がターンテーブルの中心軸方向に近寄るように傾かせてあった脚部が設置に伴って前記ターンテーブルの中心軸から遠ざかる様に外側に開いたことの復元力とする陶芸轆轤用作業板。
【請求項４】陶芸用轆轤のターンテーブル上に裁置して使用され、裏面に少なくとも基部と脚部を有する脚材を設け、当該脚部と脚部の間にターンテーブルが収まる構成の陶芸轆轤用作業板であり、前記作業板の裏面と前記基部の間にゴム又は合成樹脂による柔軟な弾性体を挟設し、当該脚部を前記ターンテーブルの角にあてがい前記作業板を前記ターンテーブルに向かって押し込むと、設置に伴って前記脚部が前記ターンテーブルの中心軸から遠ざかるように押し広げられ、前記脚部が前記ターンテーブルの側面を前記柔軟な弾性体の復元力によって挟み込み、加圧することで芯出しを可能とした陶芸轆轤用作業板。
【請求項５】裏面に複数個の脚部を設けた作業板であって、ターンテーブルに作業板を載せると、前記脚部と脚部の間にターンテーブルが収まる構成であり、脚部側面に挟持部が可動的に設けられており、前記挟持部に係止爪と柔軟弾性体が設けてあり、ターンテーブルに作業板を載せると当該係止爪がターンテーブルに係り、作業板を下方向に押し込むと挟持部をターンテーブル側面に向かって加圧し、前記柔軟弾性体が変形して挟持部がターンテーブル側面を挟持し、柔軟弾性体の復元力がターンテーブル側面を加圧して固定と芯出しをする陶芸轆轤用作業板。
【請求項６】前記挟持部に係止爪とへの字型の遊嵌孔を設け、脚部に設けた支持腕を前記遊嵌孔に遊嵌させることにより、係止爪が前記ターンテーブルの角に掛止した状態で作業板をターンテーブルに向かって押し込むと前記支持腕が前記遊嵌孔に沿って滑動し、前記挟持部をターンテーブル側面に向かって加圧し芯出しをする構成である請求項５に記載した陶芸轆轤用作業板。
【請求項７】前記作業板の裏面にゴムや合成樹脂等による滑動防止部を配し、滑動防止効果を持たせた請求項１、２、３、４、５又は６のいずれかに記載した陶芸轆轤用作業板。
【発明の詳細な説明】
【０００１】
【発明が属する技術分野】
本発明は陶芸用轆轤に載せて使用し、自動的に芯出しができて、ターンテーブル上での滑動を防止できる陶芸轆轤用作業板に関するものである。
【０００２】
【従来の技術】
従来、作陶活動に於ける轆轤を使った成形作業において、大型作品を成形した場合や成形途中の作品は、粘土が軟弱であるため轆轤のターンテーブル上から作品を移動することが困難であることから、亀板と呼ばれる作業板をターンテーブルの載せてその上に作品を形成し、亀板とともに作品を移動することにより大型作品の成形直後の作品や成形途中の移動を容易にしてきた。亀板は角を落として多角形とした板の裏面に桟を打ち付けた物であり、これを粘土の粘着性により轆轤の回転体であるターンテーブル上に張り付けて成形に使用されてきた。
【０００３】
陶芸に於ける大型の作品の成形では、粘土の自重により変形や亀裂が生じやすく一気に成形できないことから、成形途中の作品を載せた亀板を一旦轆轤から外し、幾分乾燥が進んだ時点で亀板を再度轆轤に乗せ、作品に粘土を継ぎ足して成形を進める必要が生じる。この際、先に成形してある成形途中の作品を、ターンテーブルの中心軸と作品の中心軸とを合わせて、ターンテーブル上に据え付ける必要が生じる。一旦取り外した亀板を、中心軸を合わせて据え付けるには熟練が必要であり、初心者には大変面倒な、あるいは実施困難な作業であった。
【０００４】
【特許文献１】実開昭５１−３６５９
実開昭５１−３６５９に示された考案は「ろくろの回転盤Ｂに外接する枠Ａを、平板１の裏面に設置してなる粘土工作台」であり、具体的には「木材からなる正八角形の平板の裏面に、木材からなる４本の角棒を設置し、該角棒の内面でもって未完結の枠が、回転板に外接するように形成する。この考案の工作台をろくろの回転盤にかぶせるように設置すれば、工作台の上面は、枠とろくろの回転盤との摩擦により平板は轆轤と同時に回転する」というものである。
【０００５】
上記考案の製造に当たっては高度な技術を要さないものの、轆轤の回転盤（ターンテーブル）を枠が強く圧迫するほど密着するように製造することは困難である。そのように製造し得たとしても、使用と共に摩耗等により接触面にゆるみが生じ、長期間に亘って繰り返し使用することは困難である。
【０００６】
この課題を解決するものとして、上記考案の４本の角棒あるいはこれに代わる金具等にゴム等の弾性体を貼り付けて挟持部を形成することが考えられるが、この場合、複数の挟持部で前記ターンテーブルを挟み込み、ターンテーブルの裁置面に対してほぼ直角の挟持部をターンテーブルの側面を摺動しながら下に押し込むことが必要となる。
【０００７】
上記の方法によれば、位置合わせが面倒であることや、設置時に前記挟持部に張り付けた弾性体の角がターンテーブルの角に当たり、使用の継続と共に弾性体がすり切れることや、ターンテーブル側面をゴム等の弾性体の表面で摺動しながら押し込むことが可能な程度の圧力では芯出しに狂いが生じやすい。無造作に作業板をターンテーブルに乗せても位置合わせが確実に出来て、長期間使用しても容易に痛まない陶芸轆轤用作業板が望まれる。
【０００８】
この他、陶芸轆轤用作業板としては、複数の穴を開けた平板を轆轤のターンテーブル上に張り付けておき、作業板裏面の、上記平板の穴に対応する位置に突起物形成し、上記穴と上記突起物を嵌合させて作業板を裁置することにより、作業板とターンテーブルの位置関係を保ち、芯出しを行うものが市販されている。この作業板は芯出しが確実にできる点で優れているものの、作業板の他に取り付け盤が必要であり、据え付けにしない限り不便である。日々、様々な作業内容で、変化のある作陶活動をする場合には、作業板とは別の取り付け盤を設置する方法では作業が極めて面倒である。また、経済的とも言い難い。
【０００９】
【発明が解決しようとする課題】
無造作に作業板をターンテーブルに載せても自動的に芯出しが出来て、長期間使用しても容易に痛むことがなく、安価に製造できて使い勝手のよい陶芸轆轤用作業板を提供すること。
【００１０】
【課題を解決するための手段】
陶芸用轆轤のターンテーブル上に裁置して使用され、裏面に棒状硬質弾性体で形成された脚部を作業板の裏面に着脱可能に係着して設け、当該脚部と脚部の間にターンテーブルが収まる構成の陶芸轆轤用作業板であり、当該作業板の前記轆轤への設置に当たっては、前記脚部を前記ターンテーブルの角にあてがい前記作業板を前記ターンテーブルに向かって押し込むと、設置に伴って前記脚部が前記ターンテーブルの中心軸から遠ざかるように押し広げられ、前記脚部の側面が前記ターンテーブルの側面を挟み込み、当該ターンテーブルの側面を前記脚部を構成する弾性体の復元力によって加圧することで芯出しを可能にした陶芸轆轤用作業板を供する。
【００１１】
陶芸用轆轤のターンテーブル上に裁置して使用され、裏面に脚部を設け、当該脚部と脚部の間にターンテーブルが収まる構成の陶芸轆轤用作業板であり、前記脚部の作業板中心軸方向側面に断面円形の回転体を配し、当該回転体が弾力を有することで前記ターンテーブルの側面に圧着する構成である陶芸轆轤用作業板を供する。
【００１２】
陶芸用轆轤のターンテーブル上に裁置して使用され、裏面に少なくとも基部と脚部を有する脚材を設け、当該脚部と脚部の間にターンテーブルが収まる構成の陶芸轆轤用作業板であり、当該脚部の内の少なくとも一つが加圧手段を有し当該加圧手段がターンテーブルの側面を加圧することにより芯出しを可能にした陶芸轆轤用作業板であって、前記加圧手段を前記作業板の裏面と前記基部の間に曲折形成された弾性体を挟設することによって、下方端部がターンテーブルの中心軸方向に近寄るように傾かせてあった脚部が設置に伴って前記ターンテーブルの中心軸から遠ざかる様に外側に開いたことの復元力とする陶芸轆轤用作業板を供する。
【００１３】
陶芸用轆轤のターンテーブル上に裁置して使用され、裏面に少なくとも基部と脚部を有する脚材を設け、当該脚部と脚部の間にターンテーブルが収まる構成の陶芸轆轤用作業板であり、前記作業板の裏面と前記基部の間にゴム又は合成樹脂による柔軟な弾性体を挟設し、当該脚部を前記ターンテーブルの角にあてがい前記作業板を前記ターンテーブルに向かって押し込むと、設置に伴って前記脚部が前記ターンテーブルの中心軸から遠ざかるように押し広げられ、前記脚部が前記ターンテーブルの側面を前記柔軟な弾性体の復元力によって挟み込み、加圧することで芯出しを可能とした陶芸轆轤用作業板を供する。
【００１４】
裏面に複数個の脚部を設けた作業板であって、ターンテーブルに作業板を載せると、前記脚部と脚部の間にターンテーブルが収まる構成であり、脚部側面に挟持部が可動的に設けられており、前記挟持部に係止爪と柔軟弾性体が設けてあり、ターンテーブルに作業板を載せると当該係止爪がターンテーブルに係り、作業板を下方向に押し込むと挟持部をターンテーブル側面に向かって加圧し、前記柔軟弾性体が変形して挟持部がターンテーブル側面を挟持し、柔軟弾性体の復元力がターンテーブル側面を加圧して固定と芯出しをする陶芸轆轤用作業板を供する。
【００１５】
前記挟持部に係止爪とへの字型の遊嵌孔を設け、脚部に設けた支持腕を前記遊嵌孔に遊嵌させることにより、係止爪が前記ターンテーブルの角に掛止した状態で作業板をターンテーブルに向かって押し込むと前記支持腕が前記遊嵌孔に沿って滑動し、前記挟持部をターンテーブル側面に向かって加圧し芯出しをする構成である陶芸轆轤用作業板を供する。
【００１６】
前記作業板の裏面にゴムや合成樹脂等による滑動防止部を配し、滑動防止効果を持たせた陶芸轆轤用作業板を供する。
【００１７】
【発明の実施の形態】
発明の実施の形態について図を用いて説明する。
図１は実施例１に於ける陶芸轆轤用作業板裏面の斜視図であり、陶芸轆轤のターンテーブルに裁置した状態を示す。本図に於いては加圧手段を省略し、２図で表している。作業板１の裏面１１に、脚部２を複数個設け、当該脚部２の側面を挟持部３とする。陶芸用轆轤４のターンテーブル４１の側面４１１を前記挟持部Ａ３１と他の挟持部Ｂ３２及び挟持部Ｃ３３によって挟む。前記挟持部３の内の少なくとも一つに加圧手段５を持たせ、ターンテーブル４１の側面４１１を中心軸方向に加圧して芯出しをする。つまり、ターンテーブル４１の中心軸と作業板１の中心軸を一致させる。
【００１８】
この際、ターンテーブル４１と作業板１の中心点が完全に一致することが望ましいが、前記両者の位置関係が一定であれば、作業板１の中心点がターンテーブル４１の中心点から僅かにずれることは実用上問題とならない。前記両者の位置関係が一定であれば、作業板１上に形成された作品の芯（中心軸）はターンテーブル４１の中心軸と一致する。本図では脚部の数が３である例を取り上げているが、別の平らな板等への接地点の平面性を得るためには、脚部の数が３であるとき一番安定しており、５程度以内に構成するのが実用的である。脚部の数が１か２である場合には轆轤のターンテーブル外周に合わせた横に幅広の形状にする必要がある。
【００１９】
図２は実施例１における脚部２および挟持部３の拡大図である。脚部２は基部２１の孔２２に通したネジ２３で作業板１の裏面１１に固定される。作業板１が合成樹脂等によって一体成形される場合には前記基部２１及び孔２２やネジ２３を必要としない。挟持部３は脚部２のターンテーブル４１側に位置する側面に、加圧手段５である加圧棒５０を介して取り付けられる。加圧棒５０は脚部２に刻まれたねじ部２４と嵌合するねじ部５２を有するネジ構造体であり、つまみ部５１を摘んで回すことにより、前進、後退ができ、先端に挟持部３が可動的に取り付けられている。
【００２０】
図１のごとく作業板１の裏面１１に脚部２および挟持部３を配し、挟持面３０でターンテーブルの側面４１１を挟持し、つまみ部５１をひねる様に回すことで加圧棒５０をターンテーブル側面４１１に向かって前進させ、挟持部３を押し出して加圧し、作業板１の芯だしをする。挟持部３の下端に案内部６が設けてあり、前記ターンテーブル４１上に大まかに見当をつけて作業板１を裁置すると、作業板１の中心軸と前記ターンテーブル４１の中心軸とを合わせるように作業板１を誘導する。加圧棒５０を設けた脚部２が一つである場合には他の加圧棒を持たない脚部下端に案内部６を設ける。
【００２１】
図３の図Ａは実施例２に於ける基部２１と、挟持部３（挟持面３０）を兼ねた脚部２と、案内部６からなる脚材の断面図である。当該脚材は全体が硬質弾性体で成形されている。基部２１には孔２２があけられ、固定手段であるネジ２３によって作業板１の裏面１１に固定される。作業板１が脚部２を含んだ合成樹脂等による一体成形である場合には孔２２やネジ２３を必要としない。また、弾性体が細い棒状体であることや作業板への取り付け方法が作業板に設けた掛着部による掛着等であることも可能である。
【００２２】
基部２１と脚部２が交接して内角αが９０度よりも若干大である角度を有し、前記脚部２の下方端部が作業板１を轆轤４へ設置したときにターンテーブル４１の中心軸方向に近寄るように傾かせてあり、前記脚部２の下方端部先端と案内部６が交接し、前記案内部６の先端が前記ターンテーブル４１の中心軸から遠ざかる様に外側に開き、加圧手段５を脚部２を構成する弾性体の復元力とし、挟持部３（挟持面３０）を前記脚部２の下方端部先端と案内部６が交接した部位あるいは脚部２の側面とする。
【００２３】
図３の図Ｂは実施例２に於いて、作業板１をターンテーブル４１に設置する状況を示した断面図である。ターンテーブル４１上に作業板１を載せる際に案内部６が作業板１を誘導するため、大まかに見当をつけて置くだけで作業板１をターンテーブル４１上の適切な位置に設置できる。案内部６をターンテーブル４１の角にあてがい作業板１をターンテーブル４１に向かって押し込むと脚部２はターンテーブル４１の中心軸から遠ざかるように押し広げられて、挟持部３（挟持面３０）がターンテーブル４１の側面４１１を挟み込み、挟持する。部材が単純な形状であるため低コストで陶芸轆轤用作業板が製造でき、簡単な操作で確実な芯出しを可能にする。
【００２４】
図４の図Ａは実施例２に於ける脚材を棒状弾性体にした脚材の斜視図であり、図Ｂは脚材に棒状弾性体を使用した上記作業板の設置状況を示した断面図である。脚部を棒状弾性体５３４に置き換えても効果に変わりはない。本図では棒状弾性体５３４を作業板１の裏面１１に設けた嵌合部１２に嵌合させて掛着させた構造であるため、脚材と板材との分離が可能であることから小さく梱包できり、収納運搬に有利である。
【００２５】
図５は実施例３に於ける脚材の断面図である。当該脚材は、基部２１と脚部２が交接した内角がほぼ９０度であり、作業板１の中心方向である前記脚部の作業板中心軸方向側面に板状弾性体５３を、当該脚部２から浮かした状態で、ターンテーブル４１の中心軸方向に傾けて設けることで、前記板状弾性体５３がその復元力によって前記ターンテーブル側面４１１に圧着することを加圧手段５とし、当該板状弾性体５３の下部が前記ターンテーブルから遠ざかるように屈折して案内部６を形成する。
【００２６】
前記脚部２の側面を挟持部３とする。案内部６の先端を更に屈折させて弾性補助部５４を形成してその先端を脚部２に隣接させ、当該先端が脚部側面を滑動可能にすることで挟持部３（挟持面３０）がターンテーブル側面４１１を加圧する弾力を補強するものとすることが可能である。案内部６にターンテーブル４１の角をあてがい、作業板１を押し込むことによって前記板状弾性体５３の復元力が加圧手段として機能し、自動的に芯だしをする。前記板状弾性体５３は細い棒状弾性体５３４と置き換えることが可能であり、効果に変わりはない。部材が単純な形状であるため低コストで陶芸轆轤用作業板が製造でき、簡単な操作で確実な芯出しを可能にする。
【００２７】
図６は実施例４に於ける脚材の断面図である。本実施例は実施例３に於ける板状弾性体５３を波状弾性体５３１に置き換えたものである。板状弾性体５３を波状弾性体５３１に置き換えても、機能に大きな違いは生じないが、ターンテーブルの側面への加圧点が増え、均一な力がターンテーブルの側面に加わる。また、設置に伴い変形される部位の数が多くなることから、使用する素材が板状弾性体５３と同一であれば加圧する力が強くなり、ターンテーブルへ作業板を固定する力も強い。また、波状弾性体が細い棒状弾性体５３４と置き換えることが可能であり、同様の効果を発揮する。
【００２８】
図７は実施例５に於ける脚材の断面図である。基部２１と脚部２が交接した内角αがほぼ９０度であり、作業板１の中心部方向である前記脚部２の内側に柔軟弾性体５５を配し外側を硬質板材３４で覆い、作業板１を轆轤４へ設置したときに前記柔軟弾性体５５の復元力によって当該硬質板材３４が轆轤４のターンテーブル側面４１１に圧着することで加圧手段５とし、当該硬質板材３４の下部が前記ターンテーブルから遠ざかるように屈折して開き、案内部６を形成する。加圧手段５がゴムや合成樹脂等の柔軟弾性体５５の復元力であるため、腐食等の恐れがない。当該柔軟弾性体５５は硬質板材３４及び案内部６に守られ、ターンテーブル４１の角及びターンテーブル側面４１１との摺擦によって摩耗、変形することなく長期間の使用に耐えることができる。
【００２９】
図８は実施例６に於ける脚材の断面図である。脚材が基部２１と脚部２が交接した内角αがほぼ９０度であり、作業板１の中心軸方向である前記脚部２の内側に円盤状、円柱状あるいは球状の回転体５６を配し、作業板１を轆轤４へ設置したときに当該円盤状、円柱状あるいは球状の回転体５６が弾力を有することで轆轤４のターンテーブル側面４１１に圧着することで加圧手段５とし、前記脚部２の下部が前記ターンテーブル４１から遠ざかるように屈折して案内部を形成する。
【００３０】
回転体５６の弾力は、当該回転体５６の製造に使用する素材固有の弾力であるか、当該回転体５６の構造から生じる弾力であるか、又は回転軸５６１の有する弾力である等の区別を有することなく、前記弾力が複合して生じる力を含め回転体５６が前記ターンテーブル側面４１１を加圧する力そのものを指すものとする。当該回転体５６は加圧手段５であると同時に挟持部３（挟持面３０）である。
【００３１】
加圧手段５を、前記挟持部に配した円盤状、円柱状あるいは球状の回転体の有する弾力とした場合には前記脚部間にターンテーブルを押し込む際の抵抗を減らし、容易に設置可能とすることができる。ターンテーブルの側面を回転体５６が回転して移動するため、ターンテーブルへの作業板の取り付けがスムースに行われる。つまり、ターンテーブルの側面を硬質の板材等が摺擦しながら挟持部を押し込むということが無いため、ターンテーブルを傷つけることがない。
【００３２】
図９の図Ａは実施例７に於ける作業板１をターンテーブル４１に設置する状況を示した断面図である。硬質の板材を屈折させて基部２１と脚部２と案内部６を構成した脚材であり、前記作業板１の裏面１１と前記基部２１の間に弾性体、ここでは屈折させた板状弾性体５３２を挟むことによって前記作業板１を轆轤４へ設置したときに脚部２の下方端部がターンテーブル４１の中心軸方向に近寄るように傾かせてあり、前記脚部２の下方端部先端と案内部６が交接し、前記案内部６の先端が前記ターンテーブル４１の中心軸から遠ざかる様に外側に開き、加圧手段５を屈折させた板状弾性体５３２の復元力とし、挟持部３（挟持面３０）を前記脚部２の下方端部先端と案内部６が交接した部位あるいは脚部２の側面とする。
【００３３】
屈折させた板状弾性体５３２の存在により、基部２１の片側が作業板の裏面１１から浮き上がって設置され、挟持部３が作業板１を垂直に貫く中心軸方向に傾いて構成される。設置に当たっては案内部６をターンテーブル４１の角にあてがい、作業板１をターンテーブル４１に向かって押し込むと、屈折させた板状弾性体５３２が弾性を発揮して角度を狭め、ターンテーブル４１の角が案内部６の表面を滑動し、脚部２が中心軸から離れるように押し拡げられる。挟持部３（挟持面３０）がターンテーブル４１の側面４１１に位置してターンテーブルの側面４１１を挟持する。
【００３４】
図Ｂは屈折させた板状弾性体５３２の斜視図である。屈折させた板状弾性体５３２はＶ字型に折り曲げられた板状弾性体であって作業板１の裏面１１と基部２１の間に配され、固定用孔５３３を通したネジ２３で固定される。作業板１をターンテーブル４１に設置すると、屈折させた板状弾性体５３２によって浮き上がっていた基部２１の片側が作業板１の裏面１１方向に押しつけられる。屈折させた板状弾性体５３２は形状を復元しようとして基部２１と作業板１の裏面１１を離すそうとする。結果としてターンテーブル４１の側面４１１を挟持部３（挟持面３０）が加圧し、芯出しをする。板状弾性体５３２を細い棒状弾性体５３４に置き換えても同様の効果を発揮する。
【００３５】
図１０の図Ａは実施例８に於ける作業板１をターンテーブル４１に設置する状況を示した断面図である。図９の図Ａに於ける弾性体であるＶ字型に折り曲げられた屈折させた板状弾性体５３２を柔軟弾性体Ｂ５５１に置きかえたものである。
【００３６】
図Ｂは基部２１に柔軟弾性体Ｂ５５１を取り付けた脚材の斜視図である。屈折させた板状弾性体５３２を柔軟弾性体Ｂ５５１に置きかえても効果に大きな違いはないが、柔軟弾性体Ｂ５９は楔形等に成形することなく直方体のままで良く、組み立て時に作業板１の内側に当たる部位のネジを強く締め付けるだけで、脚部２を作業板１の中心軸方向に傾いた状態にすることが出来ると共に、挟持部３にターンテーブル４１の側面４１１を加圧する力も与えることが出来る。弾性体はゴムや合成樹脂等による柔軟弾性体Ｂ５５１であるため、腐食する心配もなくなる。また、直接、ターンテーブル４１を摺擦することがないため、摩耗や変形による劣化を防ぐこともできる。
【００３７】
図１１の図Ａは実施例９の断面図である。裏面に複数個の脚部２を設けた作業板１であって、ターンテーブル４１に作業板１を乗せると、前記脚部２と脚部２の間にターンテーブル４１が収まる構成であり、脚部２の側面に挟持部３が可動的に配され、ターンテーブル４１に作業板１を載せると挟持部３の係止爪３５がターンテーブル４１に係って他の挟持部３（挟持面３０）と共にターンテーブルの側面１１を挟持する。
【００３８】
前記挟持部３に係止爪３５と、への字型の遊嵌孔３６を設け、前記脚部２に支持腕２5を設けて遊嵌孔３６に遊嵌させることにより、係止爪３５がターンテーブル４１の角に係止した状態で作業板１をターンテーブル４１に向かって押し込むと支持腕２5が遊嵌孔３６に沿って滑動し、挟持部３（挟持面３０）をターンテーブルの側面４１１に向かって加圧する。このことにより、作業板の芯出し作業が自動的になされ、かつ、作業板１のターンテーブルへの固定が同時になされる。
【００３９】
図Ｂは前記遊嵌孔３６と支持腕２5の関係を示す遊嵌孔３６周辺の拡大図である。作業板１を下方向に押し込むと遊嵌孔３６に沿って支持腕２5が下に向かって滑動し、挟持部３をターンテーブル４１に押しつけて固定と芯出しをする。支持湾２４がへの字型の遊嵌孔３６における山の部分を乗り越えると、柔軟弾性体Ｃ５５２の反発力によって挟持部３全体が押し返され、支持腕２5がへの字型の遊嵌孔３６の最下端で止まり、安定する。
【００４０】
本実施例では遊嵌孔３６を設けてあるが、必ずしも遊嵌孔３６は必要でなく、挟持部３の上下幅に於ける中点よりもわずか下に穴をあけ、当該孔に支持腕２５を嵌合させても設置に伴う芯だし効果が得られる。しかし、本実施例のようにへの字型の遊嵌孔を有するもの方が挟持部３をターンテーブル側面４１１から離すことができて位置合わせがしやすくなり、ターンテーブル側面４１１を締め付ける力も強くなる。
【００４１】
図１２の図Ａは実施例１０における作業板１の裏面１１を示す斜視図であり、図Ｂは実施例１１における作業板１の裏面１１を示す斜視図である。脚部２及び挟持部３に囲まれた裏面１１に実施例１０では板状の滑動防止部１１１を、実施例１１では点状の滑動防止部１１２をそれぞれ設けた例である。前記滑動防止部は作業板の裏面１１にのり付けや鋲止めによる他、作業板の裏面１１に穴をあけ一部を突出させて埋設するなどの方法で固定する。
【００４２】
図１３は実施例１０に於ける作業板１の使用の状態を示す断面図であり、前記作業板裏面１１に板状の滑動防止部１１１を形成し、ターンテーブル４１上に設置し、作業板上には成型用の粘土７を載せた状態を示す断面図である。粘土７の重量が作業板を下方向に向かって押しつけ、作業板裏面１１の板状滑動防止部１１１がターンテーブル４１の表面に圧着し、作業板１がターンテーブル４１の表面を滑動することを防ぐ。
【００４３】
いわゆる亀板と称される陶芸轆轤用作業板は粘土の粘着力によってターンテーブル４１の表面に張り付けられて固定されて使用されることが一般的であるが、粘土が作業板を固定する力は弱く、作業板に打ち付けられた桟あるいは作業板の裏面を粘土で汚すことにもなり、場合によっては粘土が張りついてしまって剥がすことが面倒な場合も生じる。
【００４４】
本願発明では挟持部３（挟持面３０）によってターンテーブル４１の側面４１１を加圧しているため、芯出しの効果と同時に滑動防止効果も生じる。しかし、挟持部３の主な目的は芯だし効果を得ることにあり、制作する作品の大きさや粘土の性質および制作者の技量等にも左右されるが、作業板１を固定する滑動防止効果は十分とは言い難い。柔軟弾性体等によって板状の滑動防止部１１１あるいは点状の滑動防止部１１２を設けることで、作業板１がターンテーブル４１上で滑動することを防ぎ、安心して成形作業に当たることが出来るようになる。
【００４５】
図１４は実施例１２における作業板１の設置の状態を示す斜視図であり、滑動防止材１１３を間に挟んでターンテーブル４１上に作業板１を設置する様子を表した斜視図である。陶芸用轆轤４の上部に設けたターンテーブル４１の上に滑動防止材１１３を置き、ターンテーブル４１の側面４１１を挟持部３が挟むように作業板１を載せて設置する。滑動防止効果を得られる点では作業板１の裏面１１に滑動防止部を設けたものと同様の効果が得られる。
【００４６】
作業板１の裏面１１に滑動防止部を設けたものと比べ、作業板１を裁置する作業の度に滑動防止材１１３がターンテーブル４１の中央に載っているか注意する必要があり、使用に面倒さがある。しかし、作業板裏面１１に滑動防止部１１１を張り付ける製造工程が省けると共に、滑動防止材１１３は作業板１の複数枚に対し一枚の割で用意すればよく、コストを削減出来る。滑動防止材１１３はその形状が円形の板状であることが望ましいが、紐状体の端部と端部を結合して円状にしたものや粒状の小さな塊が多数連結させたものなどでも同様の効果を生じる。また板状体であっても凹凸を設けたもの、孔を有するものも同様である。
【００４７】
【発明の効果】
本願発明は陶芸用轆轤のターンテーブル上に裁置して使用され、裏面に棒状硬質弾性体で形成された脚部を作業板の裏面に着脱可能に係着して設け、当該脚部と脚部の間にターンテーブルが収まる構成の陶芸轆轤用作業板であり、当該作業板の前記轆轤への設置に当たっては、前記脚部を前記ターンテーブルの角にあてがい前記作業板を前記ターンテーブルに向かって押し込むと、設置に伴って前記脚部が前記ターンテーブルの中心軸から遠ざかるように押し広げられ、前記脚部の側面が前記ターンテーブルの側面を挟み込み、当該ターンテーブルの側面を前記脚部を構成する弾性体の復元力によって加圧することで芯出しを可能にした陶芸轆轤用作業板であるため次の効果を奏する。
【００４８】
部材が単純な形状であるため、芯出し効果を有する陶芸ろくろ用作業板が低コストで製造でき、簡単な操作で確実な芯出しを可能にでき、作業板裏面から脚材を分離可能であることから小さく梱包でき、収納や運搬に有利である。
【００４９】
陶芸用轆轤のターンテーブル上に裁置して使用され、裏面に脚部を設け、当該脚部と脚部の間にターンテーブルが収まる構成の陶芸轆轤用作業板であり、前記脚部の作業板中心軸方向側面に断面円形の回転体を配し、当該回転体が弾力を有することで前記ターンテーブルの側面に圧着する構成である陶芸轆轤用作業板であるため次の効果を奏する。
【００５０】
ターンテーブルへの取り付けがスムーズに行われ、ターンテーブルを傷つけることがない。
【００５１】
陶芸用轆轤のターンテーブル上に裁置して使用され、裏面に少なくとも基部と脚部を有する脚材を設け、当該脚部と脚部の間にターンテーブルが収まる構成の陶芸轆轤用作業板であり、当該脚部の内の少なくとも一つが加圧手段を有し当該加圧手段がターンテーブルの側面を加圧することにより芯出しを可能にした陶芸轆轤用作業板であって、前記加圧手段を前記作業板の裏面と前記基部の間に曲折形成された弾性体を挟設することによって、下方端部がターンテーブルの中心軸方向に近寄るように傾かせてあった脚部が設置に伴って前記ターンテーブルの中心軸から遠ざかる様に外側に開いたことの復元力とする陶芸轆轤用作業板であるため次の効果を奏する。
【００５２】
部材が単純な形状であるため、低コストで陶芸ろくろ用作業板が製造でき、簡単な操作で確実な芯出しを可能にできる。
【００５３】
陶芸用轆轤のターンテーブル上に裁置して使用され、裏面に少なくとも基部と脚部を有する脚材を設け、当該脚部と脚部の間にターンテーブルが収まる構成の陶芸轆轤用作業板であり、前記作業板の裏面と前記基部の間にゴム又は合成樹脂による柔軟な弾性体を挟設し、当該脚部を前記ターンテーブルの角にあてがい前記作業板を前記ターンテーブルに向かって押し込むと、設置に伴って前記脚部が前記ターンテーブルの中心軸から遠ざかるように押し広げられ、前記脚部が前記ターンテーブルの側面を前記柔軟な弾性体の復元力によって挟み込み、加圧することで芯出しを可能とした陶芸轆轤用作業板であるため次の効果を奏する。
【００５４】
弾性体がゴムや合成樹脂合成樹脂による柔軟弾性体であるため腐食することが無く、摺擦することもないため摩耗や変形による劣化を防ぐことができる。
【００５５】
裏面に複数個の脚部を設けた作業板であって、ターンテーブルに作業板を載せると、前記脚部と脚部の間にターンテーブルが収まる構成であり、脚部側面に挟持部が可動的に設けられており、前記挟持部に係止爪と柔軟弾性体が設けてあり、ターンテーブルに作業板を載せると当該係止爪がターンテーブルに係り、作業板を下方向に押し込むと挟持部をターンテーブル側面に向かって加圧し、前記柔軟弾性体が変形して挟持部がターンテーブル側面を挟持し、柔軟弾性体の復元力がターンテーブル側面を加圧して固定と芯出しをする陶芸轆轤用作業板であるため次の効果を奏する。
【００５６】
ターンテーブルを中心軸方向へ加圧する力が得られ、芯出し効果が確実であり、制作中に於ける作業板の滑動も防ぐことができる。
【００５７】
前記挟持部に係止爪とへの字型の遊嵌孔を設け、脚部に設けた支持腕を前記遊嵌孔に遊嵌させることにより、係止爪が前記ターンテーブルの角に掛止した状態で作業板をターンテーブルに向かって押し込むと前記支持腕が前記遊嵌孔に沿って滑動し、前記挟持部をターンテーブル側面に向かって加圧し芯出しをする構成である陶芸轆轤用作業板であるため次の効果を奏する。
【００５８】
支持腕が遊嵌孔に沿って滑動することで、挟持部をターンテーブル側面に向かって強い力で押しつけ、作業板のターンテーブル上の滑動を防止するより強い締め付け力を得ることが可能となる
【００５９】
前記作業板の裏面にゴムや合成樹脂等による滑動防止部を配し、滑動防止効果を持たせた陶芸轆轤用作業板であるため次の効果を奏する。
【００６０】
作業板がターンテーブルの表面を滑動することを防ぐことができる。
【図面の簡単な説明】
【図１】実施例１に於ける陶芸轆轤用作業板裏面の斜視図である。
【図２】実施例１における脚部２および挟持部３の拡大図である。
【図３】図Ａは実施例２に於ける脚材の断面図である。
図Ｂは実施例２に於ける作業板の設置状況を示した断面図である。
【図４】図Ａは実施例２に於ける脚材のを棒状弾性体にしたる脚材の斜視図である。
図Ｂは脚材に棒状弾性体を使用した上記作業板の設置状況を示した断面図である。
【図５】実施例３に於ける脚材の断面図である。
【図６】実施例４に於ける脚材の断面図である。
【図７】実施例５に於ける脚材の断面図である。
【図８】実施例６に於ける脚材の断面図である。
【図９】図Ａは実施例７の設置状況を示した断面図である。
図Ｂは実施例７に於ける屈折させた板状弾性体の斜視図である。
【図１０】図Ａは実施例８の設置状況を示した断面図である。
図Ｂは実施例８に於ける脚材の斜視図である。
【図１１】図Ａは実施例９の断面図である。
図Ｂは図Ａに於ける遊嵌孔周辺の拡大図である。
【図１２】図Ａは実施例１０における作業板の裏面を示す斜視図である。
図Ｂは実施例１１における作業板の裏面を示す斜視図である。
【図１３】実施例１０における作業板使用の状態を示す断面図である。
【図１４】実施例１２における作業板１の設置の状態を示す斜視図である。
【符号の説明】
１  作業板
１１  作業板の裏面
１２  嵌合部
１１１  板状の滑動防止部
１１２  点状の滑動防止部
１１３  滑動防止材
２  脚部
２１  基部
２２  孔
２３  ネジ
２４  ねじ部
２５  支持腕
３  挟持部
３０  挟持面
３１  挟持部Ａ
３２  挟持部Ｂ
３３  挟持部Ｃ
３４  硬質板材
３５  係止爪
３６  遊嵌孔
４  陶芸用轆轤
４１  ターンテーブル
４１１  ターンテーブルの側面
５  加圧手段
５０  加圧棒
５１  つまみ部
５２  ねじ部
５３  板状弾性体
５３１  波状弾性体
５３２  屈折させた板状弾性体
５３３  固定用孔
５３４  棒状弾性体
５４  弾性補助部
５５  柔軟弾性体
５５１  柔軟弾性体Ｂ
５５２  柔軟弾性体Ｃ
５６  回転体
５６１  回転軸
６  案内部
７  粘土